(57)【要約】【課題】遊技媒体貸出装置のカード収納部におけるカードの収納形態を工夫することにより、省スペースでカードを収納可能にすると共に、カードを効率良く搬送できるようにして、遊技者の遊技の便に供し、ひいては遊技場係員の労力を軽減することを目的とする。【解決手段】投入された貨幣に応じて有価価値情報をカードＣに書込可能で且つ挿入されたカードＣの有価価値情報を読込可能なリードライタ部１７と、リードライタ部１７に連通してカードＣを収納すべく設けられる収納部２１と、収納部２１とリードライタ部１７との間でカードＣを搬送する搬送手段３１とを備え、収納部２１は、リードライタ部１７の後方に配設され、収納部２１に収納されたカードＣの先端側をリードライタ部１７に臨出させて、リードライタ部１７に位置するカードＣの後端側と接触又は非接触状態で配されるように構成した。【選択図】      図３
2004275713.tif 000002
【特許請求の範囲】
【請求項１】
投入された貨幣に応じて有価価値情報をカード状記憶媒体に書込可能で且つ挿入されたカード状記憶媒体の有価価値情報を読込可能なリードライタ部と、
該リードライタ部に連通して前記カード状記憶媒体を収納すべく設けられる収納部と、
該収納部と前記リードライタ部との間で前記カード状記憶媒体を搬送する搬送手段とを備え、
前記収納部は、前記収納部に収納された前記カード状記憶媒体の先端側を前記リードライタ部に臨出させて、前記リードライタ部に位置する前記カード状記憶媒体の後端側と接触又は非接触状態で配されるべく構成されることを特徴とする遊技媒体貸出装置。
【請求項２】
前記収納部は、前記リードライタ部の後方に配設されることを特徴とする請求項１記載の遊技媒体貸出装置。
【請求項３】
前記収納部は、複数枚のカード状記憶媒体を起立状態に重ねて収納可能に構成されることを特徴とする請求項１又は２に記載の遊技媒体貸出装置。
【請求項４】
前記収納部は、複数枚のカード状記憶媒体を略扇形状に収納可能に構成されることを特徴とする請求項１又は２に記載の遊技媒体貸出装置。
【請求項５】
前記収納部は、起立状に重ねて収納されたカード状記憶媒体を搬送手段に押圧する可動押圧体を備えることを特徴とする請求項３記載の遊技媒体貸出装置。
【請求項６】
前記収納部は、１枚のカード状記憶媒体の端部を保持する凹部を複数備え、前記リードライタ部との間で前記カード状記憶媒体の受渡しを可能とすべく移動手段を備えることを特徴とする請求項４記載の遊技媒体貸出装置。
【請求項７】
前記移動手段は、前記収納部を回動させる回動手段により構成されることを特徴とする請求項６記載の遊技媒体貸出装置。
【請求項８】
投入された貨幣に応じて有価価値情報をカード状記憶媒体に書込可能で且つ挿入されたカード状記憶媒体の有価価値情報を読込可能なリードライタ部と、
該リードライタ部の後方に連通し設けられ且つカード状記憶媒体を１枚収納可能な滞留部と、
該滞留部の下方に連通して設けられ且つ複数枚のカード状記憶媒体を収納可能な収納部と、
該収納部と前記滞留部との間でカード状記憶媒体を搬送する第１搬送手段と、
前記滞留部と前記リードライタ部との間でカード状記憶媒体を搬送する第２搬送手段と、
前記第１搬送手段と前記第２搬送手段との動作を制御する制御部と
を備え、
前記滞留部は、該滞留部に収納されたカード状記憶媒体の先端側をリードライタ部に臨出させて、該リードライタ部に位置するカード状記憶媒体の後端側と接触又は非接触状態で配されるべく構成されてなることを特徴とする遊技媒体貸出装置。
【請求項９】
前記収納部は、複数枚のカード状記憶媒体を起立状態に重ねて収納可能に構成されることを特徴とする請求項８記載の遊技媒体貸出装置。
【請求項１０】
前記収納部は、複数枚のカード状記憶媒体を略扇形状に収納可能に構成されることを特徴とする請求項８記載の遊技媒体貸出装置。
【請求項１１】
前記収納部は、起立状に重ねて収納されたカード状記憶媒体を搬送手段に押圧する可動押圧体を備えることを特徴とする請求項９記載の遊技媒体貸出装置。
【請求項１２】
前記収納部は、１枚のカード状記憶媒体の端部を保持する凹部が複数設けられ且つ前記収納部は前記リードライタ部との間で前記カード状記憶媒体の受渡しを可能とすべく移動手段を備えることを特徴とする請求項１０記載の遊技媒体貸出装置。
【請求項１３】
前記移動手段は前記収納部を回動させる回動手段により構成されることを特徴とする請求項１２記載の遊技媒体貸出装置。
【請求項１４】
前記制御部は、初期状態及び待機中には、前記リードライタ部を空とし、前記滞留部に前記カード状記憶媒体を待機させると共に、貨幣投入口から貨幣が投入され貨幣を受け付けたときは、前記滞留部に待機している前記カード状記憶媒体を前記リードライタ部に搬送し、遊技終了後であって前記カード状記憶媒体の有価価値が無くなったときは、前記カード状記憶媒体を前記リードライタ部から前記滞留部に搬送するように制御することを特徴とする請求項８乃至１３のいずれかに記載の遊技媒体貸出装置。
【請求項１５】
請求項１乃至１４のいずれかに記載の遊技媒体貸出装置を複数備え、
前記各遊技媒体貸出装置と通信可能に接続されて前記各遊技媒体貸出装置から有価価値情報を集信する集信手段と、
該集信手段によって集信された有価価値情報を記憶する記憶手段を有する管理装置と、
を備えることを特徴とする遊技管理システム。
【請求項１６】
カード状記憶媒体を挿入排出するカード挿入口と、
該カード挿入口に連通し、投入された貨幣に応じて有価価値情報をカード状記憶媒体に書込可能で且つ挿入されたカード状記憶媒体の有価価値情報を読込可能なリードライタ部と、
該リードライタ部に連通して前記カード状記憶媒体を収納すべく設けられる収納部と、
該収納部と前記リードライタ部との間で前記カード状記憶媒体を搬送する搬送手段と、
該搬送手段の動作を制御する制御部とを備え、
前記収納部は、前記収納部に収納された前記カード状記憶媒体の先端側を前記リードライタ部に臨出させて、前記リードライタ部に位置する前記カード状記憶媒体の後端側と接触又は非接触状態で配されるべく構成され、
前記制御部は、カード状記憶媒体回収指示を受けて前記収容部に収容された前記カード状記憶媒体を前記カード挿入口まで順次搬送する
ことを特徴とする遊技媒体貸出装置。
【請求項１７】
カード状記憶媒体を挿入排出するカード挿入口と、
該カード挿入口に連通し、投入された貨幣に応じて有価価値情報をカード状記憶媒体に書込可能で且つ挿入されたカード状記憶媒体の有価価値情報を読込可能なリードライタ部と、
該リードライタ部に連通して前記カード状記憶媒体を収納すべく設けられる収納部と、
該収納部と前記リードライタ部との間で前記カード状記憶媒体を搬送する搬送手段と、
該搬送手段の動作を制御する制御部とを備え、
前記収納部は、前記収納部に収納された前記カード状記憶媒体の先端側を前記リードライタ部に臨出させて、前記リードライタ部に位置する前記カード状記憶媒体の後端側と接触又は非接触状態で配されるべく構成され、
前記制御部は、カード状記憶媒体補充指示を受けて前記カード挿入口に挿入された前記カード状記憶媒体を前記収容部に収容すべく順次搬送する
ことを特徴とする遊技媒体貸出装置。
【請求項１８】
カード状記憶媒体を挿入排出するカード挿入口と、
該カード挿入口に連通し、投入された貨幣に応じて有価価値情報をカード状記憶媒体に書込可能で且つ挿入されたカード状記憶媒体の有価価値情報を読込可能なリードライタ部と、
該リードライタ部の後方に連通し設けられ且つカード状記憶媒体を１枚収納可能な滞留部と、
該滞留部の下方に連通して設けられ且つ複数枚のカード状記憶媒体を収納可能な収納部と、
該収納部と前記滞留部との間でカード状記憶媒体を搬送する第１搬送手段と、
前記滞留部と前記リードライタ部との間でカード状記憶媒体を搬送する第２搬送手段と、
前記第１搬送手段と前記第２搬送手段との動作を制御する制御部と
を備え、
前記滞留部は、該滞留部に収納されたカード状記憶媒体の先端側をリードライタ部に臨出させて、該リードライタ部に位置するカード状記憶媒体の後端側と接触又は非接触状態で配されるべく構成され、
前記制御部は、カード状記憶媒体回収指示を受けて前記滞留部及び／又は前記収容部に収容された前記カード状記憶媒体を前記カード挿入口まで順次搬送することを特徴とする遊技媒体貸出装置。
【請求項１９】
カード状記憶媒体を挿入排出するカード挿入口と、
該カード挿入口に連通し、投入された貨幣に応じて有価価値情報をカード状記憶媒体に書込可能で且つ挿入されたカード状記憶媒体の有価価値情報を読込可能なリードライタ部と、
該リードライタ部の後方に連通し設けられ且つカード状記憶媒体を１枚収納可能な滞留部と、
該滞留部の下方に連通して設けられ且つ複数枚のカード状記憶媒体を収納可能な収納部と、
該収納部と前記滞留部との間でカード状記憶媒体を搬送する第１搬送手段と、
前記滞留部と前記リードライタ部との間でカード状記憶媒体を搬送する第２搬送手段と、
前記第１搬送手段と前記第２搬送手段との動作を制御する制御部と
を備え、
前記滞留部は、該滞留部に収納されたカード状記憶媒体の先端側をリードライタ部に臨出させて、該リードライタ部に位置するカード状記憶媒体の後端側と接触又は非接触状態で配されるべく構成され、
前記制御部は、カード状記憶媒体補充指示を受けて前記カード挿入口に挿入された前記カード状記憶媒体を前記滞留部及び／又は前記収容部に収容すべく順次搬送する
ことを特徴とする遊技媒体貸出装置。
【請求項２０】
前記カード状記憶媒体回収指示は、遊技媒体貸出装置に設けられたカード状記憶媒体回収指示部により行われることを特徴とする請求項１６又は１８に記載の遊技媒体貸出装置。
【請求項２１】
前記カード状記憶媒体回収指示は、遊技媒体貸出装置とは別体の携帯端末装置に設けられたカード状記憶媒体回収指示部により行われることを特徴とする請求項１６又は１８に記載の遊技媒体貸出装置。
【請求項２２】
前記カード状記憶媒体補充指示は、遊技媒体貸出装置に設けられたカード状記憶媒体補充指示部により行われることを特徴とする請求項１７又は１９に記載の遊技媒体貸出装置。
【請求項２３】
前記カード状記憶媒体補充指示は、遊技媒体貸出装置とは別体の携帯端末装置に設けられたカード状記憶媒体補充指示部により行われることを特徴とする請求項１７又は１９に記載の遊技媒体貸出装置。
【発明の詳細な説明】
【０００１】
【発明の属する技術分野】
本発明は、パチンコホール等の遊技場において、ＩＣカード等の記録媒体に記録された記録情報に基づき、遊技玉又はコイン等の遊技媒体の貸出をパチンコ機又はスロットマシン等の遊技機に対して指示する遊技媒体貸出装置及びこれを含む遊技管理システムに関する。
【０００２】
【従来の技術】
従来、パチンコホール等の遊技場において、パチンコ機及びスロットマシン等の遊技機で使用するパチンコ玉及びメダル等の遊技媒体の借り入れを行うために、ＩＣカード等の記録媒体に記録された記録情報（例えば、記録媒体を識別するための識別子，記録媒体の発行年月日及び消費額等）に基づいて、隣接するパチンコ機又はスロットマシン等の遊技機に対して指示する遊技媒体貸出装置およびこれを管理するコンピュータ等の管理装置を備える遊技管理システムが実現されている。
【０００３】
前記遊技管理システムに用いられる遊技媒体貸出装置としては、例えば、本件出願人の出願による特願２０００−３８２８６８号に記載した遊技媒体貸出装置がある。この遊技媒体貸出装置は、予め挿入されたカードを保持するカード保持部を備えており、保持部に保持された状態でリードライタ部で記録情報を読み書きされる構成からなり、前記保持されているカードを利用して遊技を行っている最中に該カードに付与されている価値の残りがなくなった場合、遊技客から受け付けた金銭の額に応じた価値をそのカードに付与し、また、同じく価値の残りがなくなった場合であって、利用者からカードの排出の指示を受け付けたときは、前記遊技媒体貸出装置は、そのカードの種別を判別し、そのカードが会員カードの場合は遊技客に対して返却し、一般カードの場合は回収するようになし、これにより、記録媒体を繰り返し使用することができ、しかも価値の残りがなくなった場合に迅速に価値の買い足しを行うことができるようになしている（特許文献１参照）。
【０００４】
しかしながら、前記遊技媒体貸出装置に保持されるカードは１枚であり、該カードが遊技客によって取り出された場合は、前記遊技媒体貸出装置内に保持されるカードが無くなり、遊技場係員がカードを補充する必要が生じる。この問題を解消するためには、前記保持部に複数のカードを保持させることが考えられるが、この場合において複数のカードを重ねた状態で保持すると、ＩＣカードを使用しているときには、前記リードライタ部と複数のカードが誤通信してしまう場合が生じうる。
【０００５】
一方、複数のカードを収容可能な収容部を有する遊技媒体貸出装置としては、図２１に示すように投入された貨幣に応じて有価価値情報をカードに書込可能で且つ挿入されたカードの有価価値情報を読込可能なリードライタ部２００の後方に、カードを１枚ずつ収納可能な２つの収納部２０１を設けたものが存在し、収納部２０１からリードライト部２００へのカードの供給によってカードの新規発行が可能になる一方、リードライタ部２００から収納部２０１へのカードの排出によって外部からリードライタ部２００へのカードの受入れが可能になると共に、使用済みカードを収納部２０１に収納することができ、更には収納されたカードの再利用が可能となるため、遊技者及び遊技場係員の労力を軽減できるという利点がある（例えば、特許文献２参照）。
【０００６】
また、図２２に示すようにリードライタ部２０２の後方に１枚のカードを収納可能な収納部２０３を有し、該収納部２０３の上方及び下方位置に夫々補助収納部２０４，２０４を設けたものもあり、該補助収納部２０４と前記収納部２０３間で相互にカードに給排が可能に構成されており、当該遊技媒体貸出装置においても、リードライタ部２０２、収納部２０３及び補助収納部２０４，２０４のカードの給排によって特許文献１のものと同様に効果を奏する。（例えば、特許文献３参照）。
【０００７】
【特許文献１】
特開２００２−１７７５９１号公報（第３〜８頁、図３）
【特許文献２】
特開２０００−１８５１６８号公報（第４〜８頁、図３）
【特許文献３】
特開２００２−１８６７７５号公報（第４〜６頁、図２）
【０００８】
【発明が解決しようとする課題】
しかしながら、図２１に示す前記遊技媒体貸出装置は、リードライタ部２００の後方に２つの収納部２０１を連ねて設けているために、奥行き方向に相当の配置スペースを確保しなければならないという問題があった。
【０００９】
一方、図２２に示す前記遊技媒体貸出装置においては、リードライタ部２０２と収納部２０３の他に補助収納部２０４，２０４を設けているため、全体構成が複雑になると共に、装置自体が大型化するという不都合があった。また、当該装置においてカードの収納枚数を増やすためには補助収納部２０４を増設して対処しなければならず、これにもスペース的に限界があり、カードの収納枚数の確保という要求に柔軟に対処することができない。
【００１０】
さらに、上記各遊技媒体貸出装置におけるカードの収納形態は、収納部２０１，２０３内に完全にカード全体を収納するものであるために、スペース上の問題のみならず、該収納部２０１，２０３とリードライト部２００，２０２間のカード搬送に要する時間が長くなり、即応性に欠けるという問題点も有していた。
【００１１】
本発明は、かかる事情に鑑みてなされたものであり、収納部におけるカードの収納形態等を工夫することにより、リードライタ部と収納部との間に所定の距離を確保して前記した誤通信を防止しつつ、省スペースでカードを収納可能にすると共に、カードを効率良く搬送できるようにして、遊技者の遊技の便に供し、ひいては遊技場係員の労力を軽減することを目的とする。
【００１２】
【課題を解決するための手段】
請求項１に記載の遊技媒体貸出装置は、投入された貨幣に応じて有価価値情報をカード状記憶媒体に書込可能で且つ挿入されたカード状記憶媒体の有価価値情報を読込可能なリードライタ部と、該リードライタ部に連通して前記カード状記憶媒体を収納すべく設けられる収納部と、該収納部と前記リードライタ部との間で前記カード状記憶媒体を搬送する搬送手段とを備え、前記収納部は、前記収納部に収納された前記カード状記憶媒体の先端側を前記リードライタ部に臨出させて、前記リードライタ部に位置する前記カード状記憶媒体の後端側と接触又は非接触状態で配されるべく構成されることを特徴とする。
【００１３】
従って、請求項１に記載の発明によると、貨幣が投入された場合は、前記搬送手段によって前記収納部に収納されている前記カード状記憶媒体が前記リードライタ部に搬送されて、貨幣投入額に応じた有価価値情報を前記カード状記憶媒体に書込まれ前記リードライタ部に保持されることになる。この場合において、前記収納部は、前記収納部に収納されているカード状記憶媒体は先端側だけを前記リードライタ部に臨出させて、前記リードライタ部に保持されている前記カード状記憶媒体の後端側と接触又は非接触状態で配されているので、前記リードライタ部と前記収納されているカード状記憶媒体とは一定距離を隔てており、前記リードライタ部と前記収納されているカード状記憶媒体とが誤通信することはなく、前記リードライタ部に保持されているカード状記憶媒体への書込作業に支障を与えることはない。
【００１４】
また、前記収納部に収納されているカード状記憶媒体は、その先端側を前記リードライタ部に臨出させているので、前記収納部から前記リードライタ部へ前記カード状記憶媒体を搬送する距離は、前記カード状記憶媒体１枚分よりも短い距離ですむため、搬送時間の短縮が図れるとともに、搬送による前記カード状記憶媒体の摩耗又は損傷が少なくなる。
【００１５】
さらに、遊技者によって前記リードライタ部に前記カード状記憶媒体が挿入された場合は、その有価価値情報が前記リードライタ部で読込まれて前記有価価値情報に応じて遊技をすることが可能となる。この場合において、前記収納部に収納されているカード状記憶媒体は先端側だけを前記リードライタ部に臨出させた状態で収納され、前記リードライタ部に保持されている前記カード状記憶媒体の後端側と接触又は非接触状態で配されおり、前記リードライタ部と前記収納されているカード状記憶媒体とは一定距離を隔てているので、前記リードライタ部と前記収納されているカード状記憶媒体とが誤通信することはない。そして、遊技によって前記保持されたカード状記憶媒体の有価価値が無くなると、前記カード状記憶媒体は前記リードライタ部から前記収納部へと前記搬送手段により搬送されて前記収納部に収納される。この場合において、前記リードライタ部から前記収納部へ前記カード状記憶媒体を搬送する距離は、前記カード状記憶媒体１枚分よりも短い距離ですむため、搬送時間の短縮が図れるとともに、搬送による前記カード状記憶媒体の摩耗又は損傷が少なくなる。
【００１６】
請求項２に記載の遊技媒体貸出装置は、請求項１に記載の遊技媒体貸出装置において、前記収納部は、前記リードライタ部の後方に配設されることを特徴とする。
【００１７】
請求項２に記載の発明にあっては、前記リードライタ部の上下に前記収納部が配設されるスペースがない場合に好適となる。
【００１８】
請求項３に記載の遊技媒体貸出装置は、請求項１又は２に記載の遊技媒体貸出装置において、前記収納部は、複数枚のカード状記憶媒体を起立状態に重ねて収納可能に構成されることを特徴とする。
【００１９】
請求項３に記載の発明にあっては、前記収納部に複数枚のカード状記憶媒体を収納しているので、収納されているカード状記憶媒体を１枚外部に排出しても、カード状記憶媒体を補充することなく遊技が可能であり、また、カード状記憶媒体を起立状態に重ねて収納しているので、収納スペースが少なくてすむ。
【００２０】
請求項４に記載の遊技媒体貸出装置は、請求項１又は２に記載の遊技媒体貸出装置において、前記収納部は、複数枚のカード状記憶媒体を略扇形状に収納可能に構成されることを特徴とする。
【００２１】
請求項４に記載の発明にあっては、前記収納部に複数枚のカード状記憶媒体を収納しているので、収納されているカード状記憶媒体を１枚外部に排出しても、カード状記憶媒体を補充することなく遊技が可能であり、また、カード状記憶媒体を略扇形状に収納しているので、収納スペースが少なくてすむ。
【００２２】
請求項５に記載の遊技媒体貸出装置は、請求項３に記載の遊技媒体貸出装置において、前記収納部は、起立状に重ねて収納されたカード状記憶媒体を搬送手段に押圧する可動押圧体を備えることを特徴とする。
【００２３】
請求項５に記載の発明にあっては、前記可動押圧体により、前記収納部に起立状に重ねて収納されたカード状記憶媒体を搬送手段に押圧するので、搬送時に搬送手段が空転せずに、カード状記憶媒体の搬送をスムーズに行うことができる。
【００２４】
請求項６に記載の遊技媒体貸出装置は、請求項４に記載の遊技媒体貸出装置において、前記収納部は、１枚のカード状記憶媒体の端部を保持する凹部を複数備え、前記リードライタ部との間で前記カード状記憶媒体の受渡しを可能とすべく移動手段を備えることを特徴とする。
【００２５】
請求項６に記載の発明にあっては、前記リードライタ部から搬前記送手段により搬送された前記カード状記憶媒体の後部側が前記収納部の前記凹部に収納される場合であって、前記凹部に既に収納されているときは、空いている他の凹部にカード状記憶媒体を収納すべく前記移動手段により前記収納部が移動して空いている前記凹部にカードが収納される。
【００２６】
一方、貨幣の投入により前記収納部の前記凹部に収納されていた前記カード状記憶媒体が前記リードライタ部に搬送された場合は、他の凹部に収納されているカード状記憶媒体の先端側が前記リードライタ部に臨出する位置まで前記収納部が前記移動手段により移動して待機する。
【００２７】
請求項７に記載の遊技媒体貸出装置は、請求項６に記載の遊技媒体貸出装置において、前記移動手段は、前記収納部を回動させる回動手段により構成されることを特徴とする。
【００２８】
請求項７に記載の発明によると、前記回動手段により前記収納部を適宜回動せしめて、前記凹部へのカード状記憶媒体の収納及び前記凹部からの前記リードライタ部への前記カード状記憶媒体の搬送が行われる。
【００２９】
請求項８に記載の遊技媒体貸出装置は、投入された貨幣に応じて有価価値情報をカード状記憶媒体に書込可能で且つ挿入されたカード状記憶媒体の有価価値情報を読込可能なリードライタ部と、該リードライタ部の後方に連通し設けられ且つカード状記憶媒体を１枚収納可能な滞留部と、該滞留部の下方に連通して設けられ且つ複数枚のカード状記憶媒体を収納可能な収納部と、該収納部と前記滞留部との間でカード状記憶媒体を搬送する第１搬送手段と、前記滞留部と前記リードライタ部との間でカード状記憶媒体を搬送する第２搬送手段と、前記第１搬送手段と前記第２搬送手段との動作を制御する制御部とを備え、前記滞留部は、該滞留部に収納されたカード状記憶媒体の先端側をリードライタ部に臨出させて、該リードライタ部に位置するカード状記憶媒体の後端側と接触又は非接触状態で配されるべく構成されてなることを特徴とする。
【００３０】
請求項８に記載の発明によると、貨幣が投入された場合は、前記搬送手段によって前記滞留部に待機する前記カード状記憶媒体が前記リードライタ部に搬送されて、貨幣投入額に応じた有価価値情報を前記カード状記憶媒体に書込んで前記リードライタ部に保持されることになる。この場合において、前記滞留部に待機する前記カード状記憶媒体は先端側だけを前記リードライタ部に臨出させて、前記リードライタ部にある前記カード状記憶媒体後端側と接触又は非接触状態で配しているため、前記リードライタ部と前記待機している前記カード状記憶媒体とは一定距離を隔てており、前記リードライタ部と前記待機している前記カード状記憶媒体とが誤通信することはなく、前記リードライタ部に保持されているカード状記憶媒体への書込作業に支障を与えることはない。
【００３１】
また、前記滞留部に待機している前記カード状記憶媒体は、その先端側を前記リードライタ部に臨出させているので、前記滞留部から前記リードライタ部へ前記カード状記憶媒体を搬送する距離は、前記カード状記憶媒体１枚分よりも短い距離ですむため、搬送時間の短縮が図れるとともに、搬送による前記カード状記憶媒体の摩耗又は損傷が少なくなる。
【００３２】
さらに、遊技者によって前記リードライタ部に前記カード状記憶媒体が挿入されると、その有価価値情報が前記リードライタ部で読込まれて前記有価価値情報に応じて遊技をすることが可能となる。この場合において、前記カード状記憶媒体の有価価値が無くなると、前記滞留部にある前記カード状記憶媒体が第２搬送手段により前記収納部に搬送されて収納されると共に、前記リードタイタ部の前記カード状記憶媒体は第１搬送手段により前記滞留部に搬送されて前記滞留部に待機し、前記カード状記憶媒体の発行要求に備える。また、有価価値を残して遊技者によるカード返却要求があった場合は、前記リードライタ部から機外に前記カード状記憶媒体は排出される。
【００３３】
請求項９に記載の遊技媒体貸出装置は、請求項８に記載の遊技媒体貸出装置において、前記収納部は、複数枚のカード状記憶媒体を起立状態に重ねて収納可能に構成されることを特徴とする。
【００３４】
請求項９に記載の発明にあっては、前記収納部に複数枚のカード状記憶媒体を収納しているので、収納されているカード状記憶媒体を１枚外部に排出しても、カード状記憶媒体を補充することなく遊技が可能であり、また、カード状記憶媒体を起立状態に重ねて収納しているので、収納スペースが少なくてすむ。
【００３５】
請求項１０に記載の遊技媒体貸出装置は、請求項８に記載の遊技媒体貸出装置において、前記収納部は、複数枚のカード状記憶媒体を略扇形状に収納可能に構成されることを特徴とする。
【００３６】
請求項１０に記載の発明にあっては、前記収納部に複数枚のカード状記憶媒体を収納しているので、収納されているカード状記憶媒体を１枚外部に排出しても、カード状記憶媒体を補充することなく遊技が可能であり、また、カード状記憶媒体を略扇形状に収納しているので、収納スペースが少なくてすむ。
【００３７】
請求項１１に記載の遊技媒体貸出装置は、請求項９に記載の遊技媒体貸出装置において、前記収納部は、起立状に重ねて収納されたカード状記憶媒体を搬送手段に押圧する可動押圧体を備えることを特徴とする。
【００３８】
請求項１１に記載の発明にあっては、前記可動押圧体により、前記収納部に起立状に重ねて収納されたカード状記憶媒体を搬送手段に押圧するので、搬送時に搬送手段が空転することなく、カード状記憶媒体の搬送をスムーズに行うことができる。
【００３９】
請求項１２に記載の遊技媒体貸出装置は、請求項１０に記載の遊技媒体貸出装置において、前記収納部は、１枚のカード状記憶媒体の端部を保持する凹部が複数設けられ且つ前記収納部は前記リードライタ部との間で前記カード状記憶媒体の受渡しを可能とすべく移動手段を備えることを特徴とする。
【００４０】
請求項１２に記載の発明にあっては、前記リードライタ部から搬前記送手段により搬送された前記カード状記憶媒体の後部側が前記収納部の前記凹部に収納される場合であっって、前記凹部に既に収納されているときは、空いている他の凹部にカード状記憶媒体を収納すべく前記移動手段により前記収納部が移動して空いている前記凹部にカードが収納される。
【００４１】
一方、貨幣の投入により前記収納部の前記凹部に収納されていた前記カード状記憶媒体が前記リードライタ部に搬送された場合は、他の凹部に収納されているカード状記憶媒体の先端側が前記リードライタ部に臨出する位置まで前記収納部が前記移動手段により移動して待機する。
【００４２】
請求項１３に記載の遊技媒体貸出装置は、請求項１３に記載の遊技媒体貸出装置において、前記移動手段は前記収納部を回動させる回動手段により構成されることを特徴とする。
【００４３】
請求項１３に記載の発明によると、前記回動手段により前記収納部を適宜回動せしめて、前記凹部へのカード状記憶媒体の収納及び前記凹部からの前記リードライタ部への前記カード状記憶媒体の搬送が行われる。
【００４４】
請求項１４に記載の遊技媒体貸出装置は、請求項８乃至１３のいずれかに記載の遊技媒体貸出装置において、前記制御部は、初期状態及び待機中には、前記リードライタ部を空とし、前記滞留部に前記カード状記憶媒体を待機させると共に、貨幣投入口から貨幣が投入され貨幣を受け付けたときは、前記滞留部に待機している前記カード状記憶媒体を前記リードライタ部に搬送し、遊技終了後であって前記カード状記憶媒体の有価価値が無くなったときは、前記カード状記憶媒体を前記リードライタ部から前記滞留部に搬送するように制御することを特徴とする。
【００４５】
請求項１４に記載の発明によると、初期状態及び待機中には、前記リードライタ部を空とし、前記滞留部に前記カード状記憶媒体を待機させているので、前記カード状記憶媒体が挿入されたときは、前記カード状記憶媒体は空の前記リードライタ部に受入れられて、その有価価値情報が前記リードライタ部により読込まれる。また、貨幣が貨幣投入口から投入されたときは、前記滞留部に待機している前記カード状記憶媒体が第１搬送手段により前記リードライタ部に搬送されて、遊技機による遊技が可能となり、一方、遊技終了時に前記カード状記憶媒体の有価価値が無くなったときは、前記カード状記憶媒体は第１搬送手段により前記リードライタ部から前記滞留部に搬送されて、前記カード状記憶媒体は待機状態となる。
【００４６】
請求項１５に記載の遊技管理システムは、請求項１乃至１４のいずれかに記載の遊技媒体貸出装置を複数備え、前記各遊技媒体貸出装置と通信可能に接続されて前記各遊技媒体貸出装置から有価価値情報を集信する集信手段と、該集信手段によって集信された有価価値情報を記憶する記憶手段を有する管理装置と、を備えることを特徴とする。
【００４７】
請求項１５に記載の遊技管理システムによると、管理装置が複数の前記遊技媒体貸出装置から有価価値情報を集信し、その集信した有価価値情報を管理するので、複数の前記遊技媒体貸出装置にて消費された有価価値等を集中して管理することができる。また、前記遊技媒体貸出装置と前記管理装置との両装置で前記有価価値等を管理する場合にあっては、前記遊技媒体貸出装置のみで管理する場合よりも、改竄等の不正行為を容易に検出することが可能になる。
【００４８】
請求項１６に記載の遊技媒体貸出装置は、カード状記憶媒体を挿入排出するカード挿入口と、該カード挿入口に連通し、投入された貨幣に応じて有価価値情報をカード状記憶媒体に書込可能で且つ挿入されたカード状記憶媒体の有価価値情報を読込可能なリードライタ部と、該リードライタ部に連通して前記カード状記憶媒体を収納すべく設けられる収納部と、該収納部と前記リードライタ部との間で前記カード状記憶媒体を搬送する搬送手段と、該搬送手段の動作を制御する制御部とを備え、前記収納部は、前記収納部に収納された前記カード状記憶媒体の先端側を前記リードライタ部に臨出させて、前記リードライタ部に位置する前記カード状記憶媒体の後端側と接触又は非接触状態で配されるべく構成され、前記制御部は、カード状記憶媒体回収指示を受けて前記収容部に収容された前記カード状記憶媒体を前記カード挿入口まで順次搬送する
ことを特徴とする。
【００４９】
請求項１６に記載の遊技媒体貸出装置によると、前記収納部に収納されたカード状記憶媒体を回収する場合は、カード状記憶媒体回収指示を行うだけで、前記収容部に収容された前記カード状記憶媒体が前記カード挿入口まで順次搬送されるので、遊技場係員は、一旦カード状記憶媒体回収指示を行うと、前記カード挿入口に搬送されるカード状記憶媒体を抜き取るだけでカード回収を行うことができる。
【００５０】
請求項１７に記載の遊技媒体貸出装置は、カード状記憶媒体を挿入排出するカード挿入口と、該カード挿入口に連通し、投入された貨幣に応じて有価価値情報をカード状記憶媒体に書込可能で且つ挿入されたカード状記憶媒体の有価価値情報を読込可能なリードライタ部と、該リードライタ部に連通して前記カード状記憶媒体を収納すべく設けられる収納部と、該収納部と前記リードライタ部との間で前記カード状記憶媒体を搬送する搬送手段と、該搬送手段の動作を制御する制御部とを備え、前記収納部は、前記収納部に収納された前記カード状記憶媒体の先端側を前記リードライタ部に臨出させて、前記リードライタ部に位置する前記カード状記憶媒体の後端側と接触又は非接触状態で配されるべく構成され、前記制御部は、カード状記憶媒体補充指示を受けて前記カード挿入口に挿入された前記カード状記憶媒体を前記収容部に収容すべく順次搬送することを特徴とする。
【００５１】
請求項１７に記載の遊技媒体貸出装置によると、前記収納部にカード状記憶媒体を補充する場合は、カード状記憶媒体補充指示を行うだけで、前記カード挿入口に挿入された前記カード状記憶媒体が前記収容部に順次搬送されるので、遊技場係員は、一旦カード状記憶媒体補充指示を行うと、前記カード挿入口にカード状記憶媒体を挿入するだけでカード補充を行うことができる。
【００５２】
請求項１８に記載の遊技媒体貸出装置は、カード状記憶媒体を挿入排出するカード挿入口と、該カード挿入口に連通し、投入された貨幣に応じて有価価値情報をカード状記憶媒体に書込可能で且つ挿入されたカード状記憶媒体の有価価値情報を読込可能なリードライタ部と、該リードライタ部の後方に連通し設けられ且つカード状記憶媒体を１枚収納可能な滞留部と、該滞留部の下方に連通して設けられ且つ複数枚のカード状記憶媒体を収納可能な収納部と、該収納部と前記滞留部との間でカード状記憶媒体を搬送する第１搬送手段と、前記滞留部と前記リードライタ部との間でカード状記憶媒体を搬送する第２搬送手段と、前記第１搬送手段と前記第２搬送手段との動作を制御する制御部とを備え、前記滞留部は、該滞留部に収納されたカード状記憶媒体の先端側をリードライタ部に臨出させて、該リードライタ部に位置するカード状記憶媒体の後端側と接触又は非接触状態で配されるべく構成され、前記制御部は、カード状記憶媒体回収指示を受けて前記滞留部及び／又は前記収容部に収容された前記カード状記憶媒体を前記カード挿入口まで順次搬送することを特徴とする。
【００５３】
請求項１８に記載の遊技媒体貸出装置によると前記滞留部及び／又は前記収納部に収納されたカード状記憶媒体を回収する場合は、カード状記憶媒体回収指示を行うだけで、前記滞留部及び／又は前記収容部に収容された前記カード状記憶媒体が前記カード挿入口まで順次搬送されるので、遊技場係員は、一旦カード状記憶媒体回収指示を行うと、前記カード挿入口に搬送されるカード状記憶媒体を抜き取るだけでカード回収を行うことができる。
【００５４】
請求項１９に記載の遊技媒体貸出装置は、カード状記憶媒体を挿入排出するカード挿入口と、該カード挿入口に連通し、投入された貨幣に応じて有価価値情報をカード状記憶媒体に書込可能で且つ挿入されたカード状記憶媒体の有価価値情報を読込可能なリードライタ部と、該リードライタ部の後方に連通し設けられ且つカード状記憶媒体を１枚収納可能な滞留部と、該滞留部の下方に連通して設けられ且つ複数枚のカード状記憶媒体を収納可能な収納部と、該収納部と前記滞留部との間でカード状記憶媒体を搬送する第１搬送手段と、前記滞留部と前記リードライタ部との間でカード状記憶媒体を搬送する第２搬送手段と、前記第１搬送手段と前記第２搬送手段との動作を制御する制御部とを備え、前記滞留部は、該滞留部に収納されたカード状記憶媒体の先端側をリードライタ部に臨出させて、該リードライタ部に位置するカード状記憶媒体の後端側と接触又は非接触状態で配されるべく構成され、前記制御部は、カード状記憶媒体補充指示を受けて前記カード挿入口に挿入された前記カード状記憶媒体を前記滞留部及び／又は前記収容部に収容すべく順次搬送することを特徴とする。
【００５５】
請求項１９に記載の遊技媒体貸出装置によると、前記滞留部及び／又は前記収納部にカード状記憶媒体を補充する場合は、カード状記憶媒体補充指示を行うだけで、前記カード挿入口に挿入された前記カード状記憶媒体が前記収容部に順次搬送されるので、遊技場係員は、一旦カード状記憶媒体補充指示を行うと、前記カード挿入口にカード状記憶媒体を挿入するだけで前記滞留部及び／又は前記収容部にカード補充を行うことができる。
【００５６】
請求項２０に記載の遊技媒体貸出装置は、請求項１６又は１８に記載の遊技媒体貸出装置において、前記カード状記憶媒体回収指示は、遊技媒体貸出装置に設けられたカード状記憶媒体回収指示部により行われることを特徴とする。
【００５７】
請求項２０に記載の遊技媒体貸出装置によると、請求項１６又は１８に記載の遊技媒体貸出装置では、前記カード状記憶媒体回収を遊技媒体貸出装置に設けられたカード状記憶媒体回収指示部によって行うことができる。
【００５８】
請求項２１に記載の遊技媒体貸出装置は、請求項１６又は１８に記載の遊技媒体貸出装置において、前記カード状記憶媒体回収指示は、遊技媒体貸出装置とは別体の携帯端末装置に設けられたカード状記憶媒体回収指示部により行われることを特徴とする。
【００５９】
請求項２１に記載の遊技媒体貸出装置によると、請求項１６又は１８に記載の遊技媒体貸出装置では、前記カード状記憶媒体回収は、遊技媒体貸出装置とは別体の携帯端末装置に設けられたカード状記憶媒体回収指示部により行うことができる。
【００６０】
請求項２２に記載の遊技媒体貸出装置は、請求項１７又は１９に記載の遊技媒体貸出装置において、前記カード状記憶媒体補充指示は、遊技媒体貸出装置に設けられたカード状記憶媒体補充指示部により行われることを特徴とする。
【００６１】
請求項２２に記載の遊技媒体貸出装置によると、請求項１７又は１９に記載の遊技媒体貸出装置では、前記カード状記憶媒体補充を遊技媒体貸出装置に設けられたカード状記憶媒体補充指示部によって行うことができる。
【００６２】
請求項２３に記載の遊技媒体貸出装置は、請求項１７又は１９に記載の遊技媒体貸出装置において、前記カード状記憶媒体補充指示は、遊技媒体貸出装置とは別体の携帯端末装置に設けられたカード状記憶媒体補充指示部により行われることを特徴とする。
【００６３】
請求項２３に記載の遊技媒体貸出装置によると、請求項１７又は１９に記載の遊技媒体貸出装置では、前記カード状記憶媒体補充は、遊技媒体貸出装置とは別体の携帯端末装置に設けられたカード状記憶媒体補充指示部により行うことができる。
【００６４】
【発明の実施の形態】
以下、本発明をその実施の形態を示す図面に基づいて説明する。図１は、本発明にかかる遊技媒体貸出装置を備えた遊技管理システムの構成を示すブロック図である。
【００６５】
本発明にかかる遊技媒体貸出装置は、例えば、パチンコ機及びスロットマシン等の遊技機を備えた遊技店に設置されている装置であり、パチンコ玉又はメダル等の遊技媒体を貸し出すための装置である。また、この遊技媒体貸出装置にて処理されるカード状記録媒体は、一般的にはＩＣカード（以下、カードという）が使用されるが、これに限定されるものではない。そして、このカードは、カードに関する情報を記録するための記録領域を有している。なお、本実施の形態では、遊技店が、例えば一定の特典を会員に与える会員制を採用しているものとし、会員である遊技者用のカードを会員カードといい、また非会員である遊技者用のカードを一般カードという。
【００６６】
図１において、１…は、遊技機２…間に設置された遊技媒体貸出装置である。また、Ｃはカードであり、３はカードＣを発行する発行装置であり、４はカードＣのカードに関する情報等を管理する管理装置である。前記カードＣの記録領域に記録される情報には、カードＣを識別するためのカード識別子、即ちカードＩＤ、カードＣを発行した遊技店を識別するための発行店識別子、カード発行年月日、カードＣが会員カードか一般カードかを示す情報、即ちカードＣの種別の情報、及び有価価値情報等（以下、カード情報という）が含まれる。
【００６７】
前記遊技媒体貸出装置２は、後述するように、予め遊技媒体貸出装置２の内部に収納された又は発行装置３によって発行された後に遊技者により挿入されたカードＣの有価価値情報等を読込んで、その情報を光通信等の通信手段にて管理装置４に送信する。
【００６８】
前記遊技媒体貸出装置２からカード情報を受信した前記管理装置４は、前記カードＣを使用することが可能であるか等のカードＣの正当性につき判定を行う。そして判定結果に関する情報を前記光通信により前記遊技媒体貸出装置２へ送信する。
【００６９】
そして、前記カードＣの正当性が認められた場合、前記遊技媒体貸出装置２は、前記遊技機２に設けられた遊技媒体の貸出を指示する貸出ボタン（図示せず）が遊技者によって押下されると、それに応じた遊技媒体の貸出を前記遊技機２に指示し、これに応じ前記遊技機２は遊技媒体の貸し出しを行う。
【００７０】
図２は本実施の形態の遊技媒体貸出装置１の斜視図である。図２において、５は縦長の筐体からなる装置本体で、該装置本体５の前面に操作面６が配置されている。７は前記操作面６に設けられたカード利用可能ランプであり、該カード利用可能ランプ７は、貨幣又はカードを受付可能な時に点灯し、受付ができない時は点滅する。８は貨幣受付口であり、該貨幣受付口８に投入された貨幣は、該貨幣受付口８に連続する処理ユニット９で処理が行われる。１０は貨幣受付口８の下方に設けた入金可ランプであり、使用中のカードＣに対して貨幣による入金が可能な場合は点灯し、不可能な場合は消灯する。
【００７１】
１１は各種情報、例えば遊技者が貸出金額を選択することのできる金額設定ボタン、選択された貸出金額を表示する金額表示、使用しているＩＣカードが会員カードか一般カードを示すランプ等を表示する表示部である。１２はカード挿入口で、開閉自在なシャッタ１３が設けられている。１４は会員カードがカード挿入口１２に挿入された場合に点灯する会員ランプであり、１５は一般カードが挿入された場合に点灯する一般ランプである。また、１６はカード挿入口１２の後方に設けたカード処理部である。
【００７２】
図３において（Ａ）は前記カード処理部１６の平面図であり、（Ｂ）は前記カード処理部１６の側面図である。図３において、１７はリードライタ部を示し、該リードライタ部１７の略中央には、リードライタ１８が設けられており、該リードライタ１８は、前記カードＣとの相互間で通信を行い、前記有価価値情報等の読込み又は書込みを行う。１９は前記カード挿入口１２と前記リードライタ部１７間に配した光電センサであり、前記カードＣが前記カード挿入口１２に存置するか否かを検知する。２０は前記リードライタ部１７の所定位置に配した光電センサであり、前記リードライタ部１７内にカードＣが存置するか否かを検知する。そして、２１は前記リードライタ部１７の後方に前記リードライタ部１７に連通して設けた収納部である。
【００７３】
図４は、前記収容部２１の斜視図である。図３及び図４に示すように、前記収納部２１は、略扇形状の上板２１ａと下板２１ｂとを側板２１ｃ，２１ｃで連結して構成しており、前記上板２１ａの下面及び前記下板２１ｂの上面には、それぞれ弧周面から中心部に向かって嵌合凹部２２…が等間隔に４条設けられている。前記嵌合凹部２２には、前記カードＣの後半部（図３の左方向）上下端が嵌合保持されて収納される。前記略扇形状の上板２１ａと下板２１ｂの要部分には上下方向に支軸２３が設けられており、前記収納部２１は、前記支軸２３を中心として回動自在に取り付けられている。
【００７４】
したがって、前記収納部２１には、前記カードＣが略扇形状に収納でき、前記嵌合凹部２２に前記カードＣが収納された際に、前記カードＣの先端側（前記収納部２１から前記リードライタ部１７に向けた搬送方向における先端側、すなわち図３における収納された前記カードＣの左端側）が前記リードライタ部１７に臨出し、さらに、前記リードライタ部１７に前記カードＣが存在する場合は、その後端側と、前記カードＣの受渡し位置Ａにある前記嵌合凹部２２に収納された前記カードＣ１の先端側とが面接触するように、前記収納部２１の位置が決定されている。
【００７５】
２４は前記収納部２１を移動させるべく前記収納部２１の下方に設けた回動手段であり、該回動手段２４は、駆動用モータ２５により回転駆動される歯車２６，２７，ピニオン２８及び該ピニオン２８に噛合させて前記下板２１ｂの下部に設けたラック２９とで構成される。３０は前記リードライタ部１７と前記収納部２１間で前記カードＣの受渡しを行う搬送ライン上にある前記収納部２１の前記嵌合凹部２２に前記カードＣが収納されているか否かを検知するための光電センサである。
【００７６】
３１は前記カードＣの搬送手段を示し、前記リードライタ部１７に配される搬送ローラ３２は、正逆回転可能な搬送モータ３３により歯車３４，３５を介して回転する回転軸３６の先端側に固定され、前記リードライタ部１７と前記収納部２１間に配される搬送ローラ３７は、伝動ローラ３８を有する回転軸３９の先端側に固定されており、前記伝動ローラ３８は前記回転軸３６に設けた伝動ローラ４０によりベルト４１を介して回転される。４２は前記搬送ローラ３２に対面配置したガイドローラを示す。
【００７７】
前記収納部２１内に収納された前記カードＣを前記リードライタ部１７に搬送する場合は、前記回動手段２４を回動させて、最も搬送面寄りに収納されている前記カードＣを前記受渡し位置Ａに移動させる。そして、前記搬送ローラ３７を駆動して前記リードライタ部１７に搬送する。さらに、前記カードＣを排出する場合は、前記搬送ローラ３２と前記ガイドローラ４２により、前記カードＣを挟持したうえで、前記搬送ローラ３２を駆動させて取り出し位置まで搬送する。また、外部から前記カードＣが投入された場合は、投入された前記カードＣを前記搬送ローラ３２と前記ガイドローラ４２で挟持し、前記搬送ローラ３２を逆転駆動させて、取り出し位置まで搬送する。
【００７８】
一方、前記リードライタ部１７に保持されている前記カードＣを前記収納部２１に収納する場合は、前記カードＣが収納されていない前記嵌合凹部２２を前記カードＣの受渡し位置Ａに位置するように前記収納部２１を位置させておき、搬送ローラ３２，３７を逆転駆動させて、前記カードＣを前記収納部２１に収納するのである。
【００７９】
図５は遊技媒体貸出装置１の電気的構成を示すブロック図であり、図５において、４３は前記各光電センサ１９、２０、３０からの検知信号により前記カードＣの収納状態や搬送位置等を確認し、前記カードＣの搬送動作、前記収納部２１の回動動作及び前記リードライタ１８の作動等を制御するための制御部であり、その主体となるＣＰＵ４４、プログラムが格納されるＲＯＭ４５及び前記カードＣの有価価値情報等を記憶するＲＡＭ４６等からなる。また、前記制御部４３にはバス４７を介して、前記カード利用可能ランプ７、前記入金可ランプ１０、前記表示部１１、前記処理ユニット９、前記各光電センサ１９，２０，３０、リードライタ１８等の入出力部が接続され、且つ各遊技媒体貸出機１…および前記管理装置４との間で情報を送受信するための送受信部４８が接続されている。
【００８０】
図６及び図７に前記制御部４３の処理手順の一例を示す。先ず、遊技媒体貸出装置１の電源が投入された場合、前記制御部４３は、記憶している各種のテーブルをクリアする等して初期設定を行う（ＳＴ１０１）。この際、予め、前記収納部２１には複数枚の前記カードＣ・・・を収納しておき、前記リードライタ部１７は前記カードＣが存置されない状態にしておく。
【００８１】
そして、貨幣が前記貨幣受付口８に投入されると（ＳＴ１０２）、前記処理ユニット９で貨幣の適否が判断され、適正である場合はＳＴ１０３が「ＹＥＳ」となって、前記制御部４３の前記ＣＰＵ４４が前記収納部２１に少なくとも１枚の前記カードＣが収納されているか否かを判定する（ＳＴ１０４）。貨幣が適正でない場合（ＳＴ１０３で「ＮＯ」）や、前記収納部２１に前記カードＣが収納されていない場合は、貨幣は返却される（ＳＴ１０５）。なお、前記収納部２１に前記カードＣが収納されていない場合は前記カード利用可ランプ７を点滅させてカード切れを遊技店係員等に知らせる。
【００８２】
そして、前記収容部２１に前記カードＣが収納されていれば、ＳＴ１０４は「ＹＥＳ」となり、前記収納部２１が前記回動手段２４により回動されて、前記カードＣが収納されている前記嵌合凹部２２が搬送ラインＡ上に移動した後、前記搬送手段３１により、前記収納部２１から前記リードライタ部１７に搬送される（ＳＴ１０６、１０７）。このとき、前記収容部２１に収容されている前記カードＣは、前記カードＣの前端が前記リードライタ部１７の後部に臨出しているので、前記収容部２１から前記リードライタ部１７までの搬送距離が短くてすみ、搬送時間も少なくなる。従って、迅速に遊技媒体を貸し出すことができる。また、搬送距離が短くてすむので、搬送による前記カードＣの摩耗、損傷も少なくなる。
【００８３】
そして、前記リードライタ部１７に搬送（ＳＴ１０７）後、前記リードライタ１８により有価価値情報を前記カードＣに書込み（ＳＴ１０８）、前記カードＣを前記リードライタ部１７に保持し（ＳＴ１０９）、書込んだ有価価値情報を前記表示部１１に表示する（ＳＴ１０９）。
【００８４】
そして、この状態で遊技者が隣接する遊技機に設けられた前記貸出ボタン（図示せず）を押下するか、同じく隣接する遊技機２に設けられたカード排出ボタン（図示せず）を押下するのを待つ（ＳＴ１１１、１１２）。遊技者が前記貸出ボタンを押下すると（ＳＴ１１１で「ＹＥＳ」）、前記送受信部４８により貸出指示を隣接する前記遊技機２に送信し（ＳＴ１１４）、前記遊技機２は受信した貸出指示により遊技媒体を排出する。
【００８５】
貸出指示を与えた後に、前記カードＣの有価価値を減算して価値情報の残高を更新し、前記表示部１１に残高を表示する（ＳＴ１１５、１１６）。残高がなくなった場合は、有価価値が０となった前記カードＣを、前記搬送手段３１により、前記リードライタ部１７から前記収納部２１の空の前記嵌合凹部２２に取り込み（ＳＴ１１８）、再発行に備える。前記収納部２１に前記カードＣを取り込むときは、前記収納部２１の空いた前記嵌合凹部２２を搬送ラインＡ上にあわせて位置させておくのであるが、この場合は、前記収容部２１の回転位置は前記収容部２１から前記リードライタ部１７に搬送したときの位置のままであるので（ＳＴ１０６、１０７）、特に前記回動手段２４で前記収容部２１を移動する必要はない。また、前記カードＣが空の前記嵌合凹部２２に取り込まれたことは前記ＲＡＭ４６に記憶させておく。
【００８６】
一方、残高がある場合は、前記カード排出ボタンを押下されない限り、遊技者が前記貸出ボタンを押下するのを待つ（ＳＴ１１２で「ＮＯ」）。前記カード排出ボタンが押下された場合は（ＳＴ１１２で「ＹＥＳ」）、前記カードＣは排出され、処理を終了する。このとき、前記カードＣを収納していた前記収納部２１の前記嵌合凹部２２は空になり、前記嵌合凹部２２が空になったことを前記ＲＡＭ４６が記憶する。
【００８７】
貨幣を投入せずに、前記カードＣを投入する場合は、先ず、前記リードライタ部１７に前記カードＣ（会員カード又は一般カード）が取り残されていないかを確認する（ＳＴ２０１、２０２）。前記リードライタ部１７に会員カードが残っている場合は前記会員ランプ１４が点灯し、一般カードが残っている場合は前記一般ランプ１５が点灯するので、遊技者は、前記カードＣを投入する前に、前記カードＣが前記リードライタ部１７に取り残されていないかを覚知することができる。前記リードライタ部１７に前記カードＣが残っている場合は、前記カード排出ボタンを押下し、予め前記リードライタ部１７に取り残されている前記カードＣ（会員カード又は一般カード）を取り除いておく。
【００８８】
前記カードＣが投入された場合は（ＳＴ２０５で「ＹＥＳ」）、投入された前記カードＣに記録された情報（価値情報、カード種別情報を含む）を前記リードライタ１８で読込み、読み込んだ価値情報を前記表示部１１に表示する（ＳＴ２０７）。そして、この状態で遊技者が前記貸出ボタンを押下するか、前記カード排出ボタンを押下するのを待つ（ＳＴ２０８、２１６）。遊技者が前記貸出ボタンを押下すると（ＳＴ２０８で「ＹＥＳ」）、前記送受信部４８により貸出指示を隣接する前記遊技機２に送信し（ＳＴ２０９）、前記遊技機２は受信した貸出指示により遊技媒体を排出する。
【００８９】
貸出指示を与えた後に、前記カードＣの価値を減算して価値情報の残高を更新し、前記表示部１１に残高を表示する（ＳＴ２１０、２１１）。残高がなくなった場合（ＳＴ２１２で「ＮＯ」）は、投入された前記カードＣが会員カードの場合（ＳＴ２１３で「ＮＯ」）は、外部に排出する（ＳＴ２１７）。投入されたＩＣカードＣが一般カードの場合（ＳＴ２１３で「ＹＥＳ」）は、前記ＲＡＭ４６の情報によって、前記収納部２１が満杯か否かを判断し、前記収納部２１が満杯の場合（ＳＴ２１４で「ＹＥＳ」）は、投入された前記カードＣを機外に排出する（ＳＴ２１７）。前記収納部２１が満杯でない場合（ＳＴ２１４で「ＮＯ」）は、前記光電センサ３０にて前記収納部２１の空の前記嵌合凹部２２を検知し、前記嵌合凹部２２を搬送ラインＡ上に位置させておき、投入された前記カードＣを、前記搬送手段３１によって前記リードライタ部１７から前記収納部２１の空の前記嵌合凹部２２に取り込み（ＳＴ２１５）、再発行に備える。なお、前記カードＣが空の前記嵌合凹部２２に取り込まれたことは前記ＲＡＭ４６に記憶させておく。
【００９０】
一方、残高がある場合（ＳＴ２１２で「ＹＥＳ」）は、前記カード排出ボタンを押下されない限り、遊技者が前記貸出ボタンを押下するのを待つ（ＳＴ２１６で「ＮＯ」）。前記カード排出ボタンが押下された場合は（ＳＴ２１６で「ＹＥＳ」）、前記カードＣは排出され（ＳＴ２１７）、処理を終了する。
【００９１】
図８および図９は、前記収納部２１へのカードＣの補充機能および前記収納部２１からのカードＣの回収機能を付加した遊技媒体貸出装置の図であり、図８は斜視図、図９は電気的構成を示すブロック図である。これらの図において、前記図２および図５と共通する部材については同一の番号を付してその説明を省略する。
【００９２】
図８中、３０１は、前記操作面６に設けられたメンテナンスボタンであり、該メンテナンスボタン３０１の押下により、遊技媒体貸出装置１は通常の遊技状態から保守作業可能な保守状態に切り替わる。３０２は、解除ボタンであり、該解除ボタン３０２の押下により、前記遊技媒体貸出装置１は前記保守状態から通常の遊技状態に切り替わる。また、３０３は、カード補充ボタンであり、３０４は、カード回収ボタンである。図９中、３１０は制御部であり、メンテナンスボタン３０１又は解除ボタン３０２からの指示信号により、前記遊技媒体貸出装置１の保守状態又は遊技状態の切替え制御並びに前記各光電センサ１９、２０、３０からの検知信号およびカード補充ボタン３０１およびカード回収ボタン３０２からの指示信号により前記カードＣの収納状態や搬送位置等を確認し、前記カードＣの搬送動作、前記収納部２１の回動動作及び前記リードライタ１８の作動等制御を行う。該制御部３１０は、その主体となるＣＰＵ３１１、プログラムが格納されるＲＯＭ３１２及び必要な情報等を記憶するＲＡＭ３１３等からなる。また、前記制御部３１０にはバス３１４を介して前記カード利用可能ランプ７、前記入金可ランプ１０、前記表示部１１、前記処理ユニット９、前記各光電センサ１９，２０，３０、リードライタ１８等の入出力部、前記管理装置４等との間で情報を送受信するための送受信部４８、メンテナンスボタン３０１、解除ボタン３０２、カード補充ボタン３０１およびカード回収ボタン３０２が接続されている。
【００９３】
図１０に前記収納部２１へのカードＣの補充制御動作および前記収納部２１からのカードＣの回収制御動作の一例を示す。
【００９４】
先ず、前記メンテナンスボタン３０１を押下して、前記遊技媒体貸出装置１を通常の遊技状態から保守状態（メンテナンスモード）に切替える。なお、かかる保守状態下では、前記貸出ボタン（図示せず）等の入力ボタンの入力指示を無効として、前記解除ボタン３０２、カード補充ボタン３０１およびカード回収ボタン３０２の各入力指示を有効とする。
【００９５】
そして、前記遊技媒体貸出装置１が、保守状態（メンテナンスモード）に切り替わると、前記カード利用可能ランプ７を例えば緑色と黄色の点滅とさせて、前記遊技媒体貸出装置１が、保守状態（メンテナンスモード）に切り替わった旨を表示する（ＳＴ５００）と共に、前記表示部１１にその時点で前記収納部２１内に収納されているカードＣの枚数を表示する（ＳＴ５０１）。
【００９６】
次に、前記収納部２１へカードＣを補充する場合（ＳＴ５０２でＹＥＳ）は、その時点で前記収納部２１内に収納されているカードＣが後述する所定の適正値より少ないか否かを判断し、収納されているカードＣが適正値か適正値より多い場合（ＳＴ５０３でＮＯ）は、前記保守状態（メンテナンスモード）の表示を解除し（ＳＴ５１７）、処理を終えて、通常の遊技状態に復帰する。収納されているカードＣが適正値より少ない場合（ＳＴ５０３でＹＥＳ）は、前記カード挿入口１２にカードＣが挿入されると（ＳＴ５０４でＹＥＳ）、前記搬送手段３１および前記回動手段２４を駆動して挿入されたカードＣを前記カード挿入口１２から前記収納部２１まで搬送する。このとき、保守状態（メンテナンスモード）下では、挿入されたカードＣの前記リーダライタ部１７での読取り及び書込を行わないように設定しているので、速やかに前記収納部２１まで搬送できる。そして、前記収納部２１への収納が完了すると、前記表示部１１に収納されている枚数（Ｔ５０１で表示した枚数プラス１の枚数）を表示する（ＳＴ５０６）。ＳＴ５０６で表示した収納枚数が適正値となった場合（ＳＴ５０７でＹＥＳ）は、前記保守状態（メンテナンスモード）の表示を解除し（ＳＴ５１７）、処理を終えて、通常の遊技状態に復帰する。一方、適正値に満たない場合（ＳＴ５０７でＮＯ）は、解除ボタンが押下されているか否かを判断し、押下されていない場合（ＳＴ５０８でＮＯ）は、ＳＴ５０４に戻り、収納枚数が適正値となる（ＳＴ５０７でＹＥＳ）か、または遊技場係員が解除ボタンを押下（ＳＴ５０８でＹＥＳ）して前記保守状態（メンテナンスモード）を解除するまで、順次前記収納部２１にカードＣを搬送する。
【００９７】
次に、前記収納部２１からカードＣを回収する場合（ＳＴ５０９でＹＥＳ）は、その時点で前記収納部２１内に収納されているカードＣが後述する所定の適正値より多いか否かを判断し、収納されているカードＣが適正値か適正値より少ない場合（ＳＴ５１０でＮＯ）は、前記保守状態（メンテナンスモード）の表示を解除し（ＳＴ５１７）、処理を終えて、通常の遊技状態に復帰する。収納されているカードＣが適正値より多い場合（ＳＴ５１０でＹＥＳ）は、前記搬送手段３１および前記回動手段２４を駆動して、収納されているカードＣを前記カード挿入口１２まで搬送する。このとき、保守状態（メンテナンスモード）下では、前記収納部２１から搬送されたカードＣの前記リーダライタ部１７での読取り及び書込は行わず、速やかに前記カード挿入口１２まで搬送する。そして前記カード挿入口１２まで搬送されたカードＣが遊技場係員によって抜き取られると、前記収納部２１の残りの収納枚数（Ｔ５０１で表示した枚数マイナス１の枚数）を表示する（ＳＴ５１３）。ＳＴ５１３で表示した収納枚数が適正値となった場合（ＳＴ５１４でＹＥＳ）は、前記保守状態（メンテナンスモード）の表示を解除し（ＳＴ５１７）、処理を終えて、通常の遊技状態に復帰する。一方、適正値に満たない場合（ＳＴ５１４でＮＯ）は、解除ボタンが押下されているか否かを判断し、押下されていない場合（ＳＴ５１５でＮＯ）は、ＳＴ５１１に戻り、収納枚数が適正値となる（ＳＴ５１４でＹＥＳ）か、遊技場係員が解除ボタンを押下（ＳＴ５１５でＹＥＳ）して前記保守状態（メンテナンスモード）を解除するまで、前記カード挿入口１２までカードＣを順次搬送する。
【００９８】
前述のように、前記収納部２１に収納カードが満杯の状態では、前記収納部２１にカードを回収する余裕がなく、一方前記収納部２１の収納カードが無い状態でも遊技者に供給するカードがなく、いずれの場合であっても遊技に支障が生じる。そこで、前記収納部２１に多数枚のカードが収納されうる場合にあっては、初期状態では、ある程度の枚数を回収できる余裕を前記収納部２１に持たせる共に、供給すべきカードもある程度収納しておく必要が生じる。そこで、カードＣを前記収納部２１に補充する場合でも、前記収納部２１が満杯になるまで補充するのではなく、ある程度の枚数を回収できる余裕を残して補充する必要があるし、また、回収する場合においても、ある程度供給できる枚数を残して回収する必要が生じる。そこで、所定の枚数の数値を適正値として、該適正値の枚数までは、補充又は回収することとして、妥当性を図っている。この適正値は予め初期値として設定してもよく、また、事後的に変更可能としてもよい。また、カード補充の場合とカード回収の場合とで、適正値をかえてもよい。例えば、収納可能枚数が１０枚の場合に、カード回収の場合の適正値を５とし、カード補充の場合の適正値を４としてもよい。
【００９９】
なお、前記のカード回収の場合は、営業終了後にカードの総枚数の確認又はカードの傷痕状態のチェック等のため、前記収納部２１に収納される全てのカードの回収を可能とする必要が生じるため、適正値を０とする手段を別途設けても良い。また、前記ＳＴ５１５で収納枚数が適正値となった場合でも、強制的に収納カードを搬送する手段を設けてもよい。例えば、前記ＳＴ５１５で収納枚数が適正値となった場合でも、前記カード回収ボタン３０４が押下され続けている限り、処理終了に優先して、収納カードを搬送するようにしてもよい。
【０１００】
前述のカードＣの補充制御および回収制御の指示は、遊技媒体貸出装置とは別体の携帯端末装置によって行うようにしてもよい。
【０１０１】
図１１は、前記収納部２１へのカードＣの補充制御および前記収納部２１からのカードＣの回収制御を、遊技媒体貸出装置とは別体の携帯端末装置の指示によって行う遊技媒体貸出装置の斜視図であり、図１２は前記携帯端末装置の電気的構成を示すブロック図であり、図１３は前記遊技媒体貸出装置の電気的構成を示すブロック図である。図１１および図１３において、前記図２および図５と共通する部材については同一の番号を付してその説明を省略する。
【０１０２】
図１１中、４００は、携帯端末装置であり、該携帯端末装置４００の操作面（上面）には、前記遊技媒体貸出装置１の制御状態（通常の遊技状態か保守状態か）の表示およびカード補充モードかカード回収モードかの表示等を行うＬＣＤ表示部４０１と前記遊技媒体貸出装置１を通常の遊技状態から保守状態（メンテナンスモード）に切替えるメンテナンスボタン４０２と前記遊技媒体貸出装置１を保守状態（メンテナンスモード）から通常の遊技状態に切替える解除ボタン４０３と後述する制御部３２０にカード補充モードとすべく指示を送信するカード補充ボタン４０４と後述する制御部３２０にカード回収モードとすべく指示を送信するカード回収ボタン４０５とを設けている。また、前記携帯端末装置４００の前面には、前記カード補充指示又はカード回収指示を送信する送信部４０６を設けている。一方、遊技媒体貸出装置１の前記操作面６に設けられた前記カード挿入口１２下側には、前記送信部４０６から送信された赤外線信号を受信する受信部３０５を設けている。
【０１０３】
図１２は携帯端末装置４００の電気的構成を示すブロック図であり、図１２において、４１０は、前記モード切替ボタン４０１、カード補充ボタン４０３およびカード回収ボタン４０４の押下により指示信号を前記送信部４０５より送信する通信制御および前記ＬＣＤ表示部４０１におけるこれらの表示等を制御するための制御部であり、その主体となるＣＰＵ４１１、プログラムが格納されるＲＯＭ４１２及び必要な情報等を記憶するＲＡＭ４１３等からなる。また、前記制御部４１０にはバス４１４を介して、前記モード切替ボタン４０１、前記カード補充ボタン４０３、前記カード回収ボタン４０４および前記送信部４０５が接続されている。
【０１０４】
図１３は遊技媒体貸出装置１の電気的構成を示すブロック図であり、図１３において、３２０は制御部であり、メンテナンスボタン４０２又は解除ボタン４０３からの指示信号により、前記遊技媒体貸出装置１の保守状態又は遊技状態の切替え制御並びに前記各光電センサ１９、２０、３０からの検知信号およびカード補充ボタン４０４およびカード回収ボタン４０５からの指示信号により前記カードＣの収納状態や搬送位置等を確認し、前記カードＣの搬送動作、前記収納部２１の回動動作及び前記リードライタ１８の作動等制御を行う。該制御部３２０は、その主体となるＣＰＵ３２１、プログラムが格納されるＲＯＭ３２２及び必要な情報等を記憶するＲＡＭ３２３等からなる。また、前記制御部３２０にはバス３１５を介して前記カード利用可能ランプ７、前記入金可ランプ１０、前記表示部１１、前記処理ユニット９、前記各光電センサ１９，２０，３０、リードライタ１８等の入出力部、前記管理装置４との間で情報を送受信するための送受信部４８および前記携帯端末装置４００の送信部４０６から送信される信号を受信する受信部３０５が接続されている。
【０１０５】
次に、前記収納部２１へカードＣを補充する場合の前記制御部４１０の制御動作について説明する。前記収納部２１にカードＣを補充する場合は、遊技場係員は、まず前記携帯端末装置４００の前記メンテナンスボタン４０２を押下する。前記メンテナンスボタン４０２が押下されると、前記送信部４０６から保守状態（メンテナンスモード）変更指示信号が送信され、前記受信部３０５にて受信される。この指示により、前記制御部３２０は、前記遊技媒体貸出装置１の制御状態を通常の遊技状態から保守状態（メンテナンスモード）に切替え。なお、かかる保守状態下では、前記貸出ボタン（図示せず）等の入力ボタンの入力指示を無効として、前記解除ボタン３０２、カード補充ボタン３０１およびカード回収ボタン３０２の各入力指示を有効とする。
【０１０６】
そして、前記遊技媒体貸出装置１が、保守状態（メンテナンスモード）に切り替わると、図１０に示すように、前記カード利用可能ランプ７を例えば緑色と黄色の点滅とさせて、前記遊技媒体貸出装置１が、保守状態（メンテナンスモード）に切り替わった旨を表示する（ＳＴ５００）と共に、前記表示部１１にその時点で前記収納部２１内に収納されているカードＣの枚数を表示する（ＳＴ５０１）。
【０１０７】
次に、前記収納部２１へカードＣを補充する場合（ＳＴ５０２でＹＥＳ）は、その時点で前記収納部２１内に収納されているカードＣが後述する所定の適正値より少ないか否かを判断し、収納されているカードＣが適正値か適正値より多い場合（ＳＴ５０３でＮＯ）は、前記保守状態（メンテナンスモード）の表示を解除し（ＳＴ５１７）、処理を終えて、通常の遊技状態に復帰する。収納されているカードＣが適正値より少ない場合（ＳＴ５０３でＹＥＳ）は、前記カード挿入口１２にカードＣが挿入されると（ＳＴ５０４でＹＥＳ）、前記搬送手段３１および前記回動手段２４を駆動して挿入されたカードＣを前記カード挿入口１２から前記収納部２１まで搬送する。このとき、保守状態（メンテナンスモード）下では、挿入されたカードＣの前記リーダライタ部１７での読取り及び書込を行わないように設定しているので、速やかに前記収納部２１まで搬送できる。そして、前記収納部２１への収納が完了すると、前記表示部１１に収納されている枚数（Ｔ５０１で表示した枚数＋１の枚数）を表示する（ＳＴ５０６）。ＳＴ５０６で表示した収納枚数が適正値となった場合（ＳＴ５０７でＹＥＳ）は、前記保守状態（メンテナンスモード）の表示を解除し（ＳＴ５１７）、処理を終えて、通常の遊技状態に復帰する。一方、適正値に満たない場合（ＳＴ５０７でＮＯ）は、解除ボタンが押下されているか否かを判断し、押下されていない場合（ＳＴ５０８でＮＯ）は、ＳＴ５０４に戻り、収納枚数が適正値となる（ＳＴ５０７でＹＥＳ）か、または遊技場係員が解除ボタンを押下（ＳＴ５０８でＹＥＳ）して前記保守状態（メンテナンスモード）を解除するまで、順次前記収納部２１にカードＣを搬送する。
【０１０８】
次に、前記収納部２１からカードＣを回収する場合は、前記携帯端末装置４００の前記カード回収ボタン４０５を押下する（ＳＴ５０９でＹＥＳ）。前記カード回収ボタン４０５が押下されると、その時点で前記収納部２１内に収納されているカードＣが後述する所定の適正値より多いか否かを判断し、収納されているカードＣが適正値か適正値より少ない場合（ＳＴ５１０でＮＯ）は、前記保守状態（メンテナンスモード）の表示を解除し（ＳＴ５１７）、処理を終えて、通常の遊技状態に復帰する。収納されているカードＣが適正値より多い場合（ＳＴ５１０でＹＥＳ）は、前記搬送手段３１および前記回動手段２４を駆動して、収納されているカードＣを前記カード挿入口１２まで搬送する。このとき、保守状態（メンテナンスモード）下では、前記収納部２１から搬送されたカードＣの前記リーダライタ部１７での読取り及び書込は行わず、速やかに前記カード挿入口１２まで搬送する。そして前記カード挿入口１２まで搬送されたカードＣが遊技場係員によって抜き取られると、前記収納部２１の残りの収納枚数（Ｔ５０１で表示した枚数−１の枚数）を表示する（ＳＴ５１３）。ＳＴ５１３で表示した収納枚数が適正値となった場合（ＳＴ５１４でＹＥＳ）は、前記保守状態（メンテナンスモード）の表示を解除し（ＳＴ５１７）、処理を終えて、通常の遊技状態に復帰する。一方、適正値に満たない場合（ＳＴ５１４でＮＯ）は、解除ボタンが押下されているか否かを判断し、押下されていない場合（ＳＴ５１５でＮＯ）は、ＳＴ５１１に戻り、収納枚数が適正値となる（ＳＴ５１４でＹＥＳ）か、遊技場係員が解除ボタンを押下（ＳＴ５１５でＹＥＳ）して前記保守状態（メンテナンスモード）を解除するまで、前記カード挿入口１２までカードＣを順次搬送する。
【０１０９】
図１４において（Ａ）は、本実施の形態の他のカード処理部の収納部を示す平面図であり、（Ｂ）はその側面図である。前述の実施の形態においては、前記収納部２１の嵌合凹部２２…により前記カードＣが略扇形状に収納されるように構成したが、本発明はこれに限定されず、例えば図１４に示すように、各嵌合凹部２２…を平行状に形成し、前記カードＣを平行状態で収納させるように構成してもよい。この場合、前記収納部２１を幅方向（矢印Ｄ方向）に移動させるべく前記移動手段２４は、例えば前記収納部２１の下面に形成した一対の凹溝４９，４９を前記装置本体５に設けたレール５０，５０にスライド自在に嵌合すると共に、前記凹溝４９，４９間に一対のラック５１，５１を所定間隔を有して設け、該ラック５１，５１に歯車５２，５３噛合させて一方に前記歯車５２をモータ５４により回転させ、この回転をローラ５５，５５及びベルト５６で前記他方の歯車５２，５３に伝達して回転駆動するように構成する。
【０１１０】
図１５において（Ａ）は、本実施の形態の他のカード処理部を示す側面図であり、（Ｂ）はその要部平面図である。前記カードＣは、例えば図１５に示すように、前記収納部２１に起立状態で重ねて収納するようにしてもよい。この場合は、前記収納部２１を起立状態で複数枚の前記カードＣ重ねて収納できる空間を設ける一方、前記リードライタ部１７と前記収納部２１とに夫々配した搬送ローラ５７、５８間にベルト５９を掛け渡すと共に、前記リードライタ部１７側の搬送ローラ５７を回転軸６０及び歯車６１、６２を介して搬送モータ６３により回転駆動させて搬送手段３１を構成するとよい。さらに、前記収納部２１に収納された前記カードＣを前記搬送ローラ５８側に付勢押圧するバネ等の付勢押圧手段６４を押圧板６５を介して設けるとよい。この場合、前記搬送ローラ５８を、図１５（Ｂ）に示すように、前記カードＣの長手方向の中心より前記リードライタ部１７寄りに配置するとよい。このように配置した場合にあっては、前記リードライタ部１７から前記カードＣを前記収納部２１に収納するときは、前記搬送ローラ５８を前記付勢押圧手段６０の付勢力に抗して前記付勢押圧手段６０側に移動させると、前記カードＣの先端部が図１５（Ｂ）における上方に若干移動し、前記カードＣの先端部が浮き上がった状態となり、スムーズに前記カードＣが前記収納部２１に搬送され、前記カードＣが前記搬送ローラ５８に接触する前に前記搬送ローラ５８を元の位置に戻せば、前記カードＣを前記収納部２１内に収納できることになる。
【０１１１】
なお、前記の実施の形態では、前記収納部２１を前記リードライタ部１７の後方に設けたが、前記リードライタ部１７の下方に設けても構わない。この場合においては、前記収納部２１は前記リードライタ部１７の下方に前記リードライタ部１７に連通して設ける。そして、前記収納部２１としては、例えば、図３及び図４に示すような略扇形状の上板２１ａと下板２１ｂとを側板２１ｃ，２１ｃで連結して構成したものを、弧周面が上方に位置するように配置するとよい。この場合は、前記リードライタ部１７に臨出するのは、前記該収納部２１に収納された前記カードＣの搬送方向における先端部、すなわち前記カードＣの上部となり、また図３及び図４に示すような前記嵌合凹部２２で嵌合保持されるのは、前記カードＣの左右端となる。さらに前記収納部２１のカード収納形態としては、例えば図１５に示すような起立状態にて重ねて収納する形態としてもよい。
【０１１２】
（第２の実施の形態）
前記の実施の形態においては、前記カード処理部１６を前記リードライタ部１７、前記収納部２１及び前記搬送手段３１とから構成しているが、次にリードライタ部１７と収納部２１間に滞留部６６を設けた実施の形態（第２の実施の形態）について説明する。尚、第２の実施の形態の主要部は前述の実施の形態と共通するため、共通する部材については同一の番号を付してその説明を省略し、相違点を中心に説明する。
【０１１３】
図１６は第２の実施の形態にかかる遊技媒体貸出装置のカード処理部を示す側面図であり、図１７は図１６のカード処理部の要部を示す正面図である。図１６及び図１７において、６６はリードライタ部１７の後方に設けた滞留部であり、該滞留部６６に待機させた前記カードＣの先端側は前記リードライタ部１７に臨出させて、前記リードライタ部１７に他のカードＣが存在する場合はこのカードＣの後端側と接触又は非接触状態で配されるべく構成している。
【０１１４】
６７は前記リードライタ部１７と前記滞留部６６間で前記カードＣを搬送するための第１搬送手段であり、該第１搬送手段６７は、前記リードライタ部１７と前記滞留部６６とに夫々配した搬送ローラ６８、６９間にベルト７０を掛け渡すと共に、前記リードライタ部１７側の搬送ローラ６８を回転軸７１及び歯車７２，７３を介して搬送モータ６３により回転駆動する構成からなり、前記ベルト７０に対抗してガイドベルト７４が回転自在なガイドローラ７５，７５間に掛け渡されて、前記ベルト７０とガイドベルト７４間で前記カードＣが搬送される。
【０１１５】
７６は前記滞留部６６の下方に配設された収納部であり、複数枚の前記カードＣを起立状態で重ねて収納できるように構成されている。７７は前記収納部７６と前記滞留部６６との間で前記カードＣを搬送するための第２搬送手段であり、該第２搬送手段７７においては、モータ（図示せず）により回転駆動される上部側の搬送ローラ７８と、下部側に配した搬送ローラ７９間にはベルト８０が掛け渡され、搬送ローラ７９は上下方向に移動可能に構成されており、その回転軸８１の両端部には前記搬送ローラ７９を下向きに付勢すべくバネ８２が設けられている。８３は前記収納部７６に収納された前記カードＣを押圧板８４を介してベルト８０側に付勢押圧するためのバネ等からなる付勢押圧手段である。
【０１１６】
８５は前記両搬送ローラ７８，７９間に配された回転自在な押圧ローラであり、その回転軸８６は前記ベルト８０の両側に対面配置された一対の支持板８７，８７間に取付けられており、該支持板８７に形成した所定形状を有するカム溝８８，８８にはソレノイド８９の軸９０に固定したピン９１がスライドするように挿通されて、前記ソレノイド８９の軸９０が没するように動作すると、前記支持板８７が支軸９２を中心にして回動し、前記付勢押圧手段８３の付勢力に抗して押圧ローラ８５が前記収納部７６側に移動する。
【０１１７】
以上の構成からなる前記カード処理部１６において、前記収納部７６に収納された前記カードＣを前記滞留部６６に搬送する場合は、前記ソレノイド８９の軸９０を没動作させ、前記支持板８７を支軸９２を中心にして回動させて、前記付勢押圧手段８３の付勢力に抗して押圧ローラ８５を前記収納部７６側に移動させる。そして、前記収納部７６内の最も前記ベルト８０寄りに収納されている前記カードＣに対して、前記ベルト８０を押圧させる。そして、前記搬送ローラ７８を駆動させて、上方に位置する前記滞留部６６に搬送する。このとき、前記ガイドローラ７５，７５と前記ガイドベルト７４は図示しない開閉手段により開状態すなわち、前記ベルト７０と離間するように配置されており、この前記ガイドベルト７４と前記ベルト７０間に前記カードＣが搬送されるのである。そして、搬送後に、前記図示しない開閉手段により、前記ガイドローラ７５，７５と前記ガイドベルト７４とを閉状態、すなわち、前記ガイドベルト７４と前記ベルト７０とを接触する状態となし、前記カードＣを挟持して、前記滞留部６６に待機させるのである。そして、発行要求があった場合は、前記搬送ローラの回転により、前記ベルト７０を駆動させ、該ベルト７０とこれに従動する前記ガイドベルト７４により、前記リードライタ部１７に搬送されるのである。一方、前記滞留部６６にある前記カードＣを前記収納部７６に収納する場合は、前記動作と逆の動作により、前記カードＣを前記収納部７６に収納するのである。
【０１１８】
なお、前記第２搬送手段７７は、前述の第１の実施の形態における前記リーダライタ部１７の下方に前記収納部２１を設けた構成においても適用することができる。この場合においては、前記収納部２１に前記カードＣが収納された際に、前記カードＣの搬送方向の先端側（すなわち、前記カードＣの上部側）が前記リードライタ部１７に臨出し、さらに、前記リードライタ部１７に前記カードＣが存在する場合は、その後端側と、前記カードＣの受渡し位置Ａにある収納された前記カードＣ１の先端側とが面接触するように、前記収納部２１の位置を決定するとよい。
【０１１９】
前述の第２の実施の形態においては、前記カードＣの収納形態を、起立状態で重ねて収納する形態としたが、前述の図３及び図４に示したように、略扇形状に収納する収納形態を適用してもよい。この場合においては、前記収納部２１は、前記滞留部６６の下方に前記滞留部６６に連通して設けられ、略扇形状の上板２１ａと下板２１ｂとを側板２１ｃ，２１ｃで連結して構成したものを、弧周面が上方に位置するように配置するとよい。この場合は、前述の図３及び図４に示すような前記嵌合凹部２２で嵌合保持されるのは、前記カードＣの左右端となる。
【０１２０】
図１８及び図１９に第２の実施の態様の遊技媒体貸出装置１の制御部４３の処理手順の一例を示す。
【０１２１】
先ず、遊技媒体貸出装置１の電源が投入された場合、前記制御部４３は、記憶している各種のテーブルをクリアする等して初期設定を行う（ＳＴ３０１）。この際、予め、前記滞留部６６には１枚、前記収納部２１には複数枚前記カードＣを収納しておき、前記リードライタ部１７には前記カードＣが存置されない状態にしておく。
【０１２２】
そして、貨幣が遊技媒体貸出装置１の前記貨幣受付口８に投入されると（ＳＴ３０２）、前記処理ユニット９で貨幣の適否が判断され、適正である場合はＳＴ３０３が「ＹＥＳ」となって、前記制御部４３のＣＰＵ４４が前記滞留部６６に１枚の前記カードＣが収納されているか否かを判定する（ＳＴ３０４）。貨幣が適正でない場合（ＳＴ３０３で「ＮＯ」）や、前記滞留部６６に前記カードＣが待機していない場合（ＳＴ３０４で「ＮＯ」）は、貨幣は返却される（ＳＴ３０５）。なお、本実施の態様では、前記滞留部６６に優先的に前記カードＣを待機させているため、前記滞留部６６に前記カードＣがない状態では、前記収納部２１にも前記カードＣは収納されておらず、この場合は前記カード利用可ランプ７を点滅させてカード切れを遊技店係員等に知らせる。
【０１２３】
そして、前記カードＣが前記滞留部６６に待機していれば、ＳＴ３０４は「ＹＥＳ」となり、前記滞留部に６６待機している前記カードＣが、前記第１搬送手段により、前記滞留部６６から前記リードライタ部１７に搬送される（ＳＴ３０６）。このとき、前記滞留部６６に収容されている前記カードＣは、前記カードＣの前端が前記リードライタ部１７の後部に臨出しているので、前記滞留部６６から前記リードライタ部１７までの搬送距離が短くてすみ、搬送時間も少なくなる。従って、迅速に遊技媒体を貸し出すことができる。また、搬送距離が短くてすむので、搬送による前記カードＣの摩耗、損傷も少なくなる。
【０１２４】
そして、前記リードライタ部１７に搬送（ＳＴ３０６）後、前記リードライタ１８により有価価値情報を前記カードＣに書込み（ＳＴ３０７）、前記カードＣを前記リードライタ部１７に保持し（ＳＴ３０９）、書込んだ有価価値情報を前記表示部１１に表示する（ＳＴ３０８）。
【０１２５】
そして、この状態で遊技者が隣接する遊技機に設けられた貸出ボタン（図示せず）を押下するか、同じく隣接する遊技機に設けられたカード排出ボタン（図示せず）を押下するのを待つ（ＳＴ３１０、３１６）。遊技者が前記貸出ボタンを押下すると（ＳＴ３１０で「ＹＥＳ」）、前記送受信部４８により貸出指示を隣接する前記遊技機２に送信し（ＳＴ３１１）、前記遊技機２は受信した貸出指示により遊技媒体を排出する。
【０１２６】
貸出指示を与えた後に、前記カードＣの価値を減算して有価価値情報の残高を更新し、前記表示部１１に残高を表示する（ＳＴ３１２、３１３）。残高がなくなった場合は、有価価値が０となった前記カードＣを、前記第１搬送手段６７により、前記リードライタ部１７から前記滞留部６６に搬送し（ＳＴ３１５）、再発行に備える。
【０１２７】
一方、残高がある場合（ＳＴ３１４で「ＹＥＳ」）は、前記カード排出ボタンを押下されない限り、遊技者が前記貸出ボタンを押下するのを待つ（ＳＴ３１６で「ＮＯ」）。前記カード排出ボタンが押下された場合は（ＳＴ３１６で「ＹＥＳ」）、前記カードＣは排出され（ＳＴ３１７）、直ちに前記収容部２１から前記滞留部６６に前記カードＣが搬送され（ＳＴ３１８）、前記滞留部６６に前記カードＣが補充される。このとき、前記カードＣを収納していた前記収納部２１から前記カードＣが１枚減少し、その旨を前記ＲＡＭ４６が記憶する。
【０１２８】
一方、貨幣を投入せずに、前記カードＣを投入した場合は（ＳＴ４０１で「ＹＥＳ」）、投入された前記カードＣに記録された情報（有価価値情報、カード種別情報を含む）を前記リードライタ１８で読込み、読み込んだ有価価値情報等を前記表示部１１に表示する（ＳＴ４０３）。そして、この状態で遊技者が前記貸出ボタンを押下するか、前記カード排出ボタンを押下するのを待つ（ＳＴ４０４、４１３）。遊技者が前記貸出ボタンを押下すると（ＳＴ４０４で「ＹＥＳ」）、前記送受信部４８により貸出指示を隣接する前記遊技機２に送信し（ＳＴ４０５）、前記遊技機２は受信した貸出指示により遊技媒体を排出する。
【０１２９】
貸出指示を与えた後に、前記カードＣの有価価値を減算して有価価値情報の残高を更新し、前記表示部１１に残高を表示する（ＳＴ４０６、４０７）。残高がなくなった場合（ＳＴ４０８で「ＮＯ」）は、投入された前記カードＣが会員カードの場合（ＳＴ４０９で「ＮＯ」）は、機外に排出する（ＳＴ４１４）。投入された前記カードＣが一般カードの場合（ＳＴ４０９で「ＹＥＳ」）は、前記ＲＡＭ４６の情報によって、前記収納部２１が満杯か否かを判断し、前記収納部２１が満杯の場合（ＳＴ４１０で「ＹＥＳ」）は、投入された前記カードＣを機外に排出する（ＳＴ４１４）。前記収納部２１が満杯でない場合（ＳＴ４１０で「ＮＯ」）は、先ず、前記滞留部６６に待機している前記カードＣを、前記第１搬送手段によって前記滞留部６６から前記収容部２１に搬送し（ＳＴ４１１）、前記滞留部６６を一旦空にしてから、投入された前記カードＣを前記第１搬送手段によって前記リードライタ部１７から前記滞留部６６に搬送し（ＳＴ４１２）、再発行に備える。なお、前記カードＣが前記滞留部６６から前記収容部２１に搬送されたことは前記ＲＡＭ４６に記憶させておく。
【０１３０】
一方、残高がある場合（ＳＴ４０８で「ＹＥＳ」）は、前記カード排出ボタンを押下されない限り、遊技者が前記貸出ボタンを押下するのを待つ（ＳＴ４１３で「ＮＯ」）。前記カード排出ボタンが押下された場合は（ＳＴ４１３で「ＹＥＳ」）、前記カードＣは排出され、処理を終了する。
【０１３１】
図２０は他のカード処理部を示す斜視図である。前記滞留部６６と前記収納部７６との間で前記カードＣを搬送する第２搬送手段は、必ずしも前記した各実施の形態に示すように構成する必要はなく、例えば、図２０に示すように、前記滞留部６６に搬送ローラ９３と該搬送ローラ９３にガイドローラ９４を対面配置し、前記搬送ローラ９３が固定される回転軸９５の先端部にローラ９６を設けると共に、モータ９７から歯車９８，９９及び回転軸１００を介してローラ１０１を回転駆動せしめ、該ローラ１０１と前記ローラ９６間にベルト１０２を掛け渡して、前記ローラ９６に回転を伝達するように構成してもよい。なお、前記ガイドローラ９４は移動手段（図示せず）により幅方向（矢印Ｅ方向）に移動するように構成する。
【０１３２】
また、前記滞留部６６には前記滞留部６６にある前記カードＣの一側面に先端部側面が当接してガイドするガイド部材１０３を支軸１０４を中心として回動し得るようにすると共に、前記ガイド部材１０３を矢印Ｆ方向に回動させるための回動手段（図示せず）を設ける。尚、前記ガイド部材１０３の基端部にはバネ１０５を取付けて、前記ガイド部材１０３の回動量を規制すると共に、前記滞留部６６側への回動動作を迅速に行えるようにする。
【０１３３】
そして、第２搬送手段７７を次のように構成する。即ち、前記収納部７６はＩＣカードＣを１枚ずつ収納可能な複数のケース１０６で構成し、該ケース１０６は移動手段（図示せず）により矢印Ｆ方向に移動可能で、且つ上下方向に昇降可能にすると共に、前記各ケース１０６の下部中央には係合凹部１０７を形成する。また、先端部に前記ケース１０６の前記係合凹部１０７に係合する係止部１０８を備えた係合部材１０９を設け、該係合部材１０９の基端部は、モータ１１０により回転駆動されるネジ杆１１１に螺合する。
【０１３４】
これにより前記収納部７６の前記ケース１０６内にある前記カードＣを前記滞留部６６に搬送する場合は、前記移動手段により前記ガイドローラ９４を前記搬送ローラ９３から離すと共に、前記回動手段により前記ガイド部材１０３の先端部を前記滞留部６６から離した状態で、前記モータ１１０を回動すると前記ネジ杆１１１を介して前記係合部材１０９が上昇し、前記係合部１０８が端側に位置する前記ケース１０６の前記係合凹部１０７に係合して前記カードＣが上方に搬送される。そして、前記カードＣが前記搬送ローラ９３と前記ガイドローラ９４間に搬送された時点で、前記ガイドローラ９４は前記移動手段により前記搬送ローラ９３側に移動して前記カードＣを前記両ローラ９３，９４で挟持すると共に、前記回動手段により前記ガイド部材１０３の先端部内側面が前記カードＣの側面に当接するまで回動させる。かかる前記カードＣはこのまま前記滞留部６６で待機し、また発行要求があった場合は後端部側を前記ガイド部材１０３によりガイドされながら前記搬送ローラ９５と前記ガイドローラ９４によりリードライタ部（図示せず）に搬送される。
【０１３５】
一方、前記滞留部６６にある前記カードＣを前記収納部７６の前記ケース１０６に収納する場合は、空いている前記ケース１０６を前記移動手段により前記カードＣの下方位置に移動させた後、前記ガイドローラ９５を前記移動手段により前記カードＣから少し離すように移動させると、前記カードＣは前記ガイド部材１０３、前記搬送ローラ９３及び前記ガイドローラ９４によりガイドされながら下降して前記ケース１０６に収納されるのである。
【０１３６】
このように第２搬送手段を構成した場合にあっては、前記カードＣは前記ケース１０６に収納された状態で持ち上げられるので、搬送による前記カードＣの摩耗、損傷が少なくてすむ。
【０１３７】
なお、この第２搬送手段７７は、前述の第１の実施の形態における前記リーダライタ部１７の下方に前記収納部２１を設けた構成においても適用することができる。この場合においては、前記収納部２１に前記カードＣが収納された際に、前記カードＣの搬送方向の先端側（すなわち、前記カードＣの上部側）が前記リードライタ部１７に臨出し、さらに、前記リードライタ部１７に前記カードＣが存在する場合は、その後端側と、前記カードＣの受渡し位置Ａにある収納された前記カードＣ１の先端側とが面接触するように、前記収納部２１の位置を決定するとよい。
【０１３８】
なお、前記した第２の各実施の形態の遊技媒体貸出装置においても、前述の収納部へのカード補充機能および収納部からのカード回収機能を付加してもよい。この場合におけるカードの補充動作およびカードの回収動作では、前記カードＣは前記滞留部６６に止まることなく、前記カード収納部７６と前記カード挿入口１２との間を搬送するように制御を行う。
【０１３９】
なお、前記した各実施の形態では収納部２１に複数枚の前記カードＣを収納できるように構成したが、本発明はこれに限定されず、１枚の前記カードＣのみ収納部２１に収納するようにしてもよい。
【０１４０】
なお、本発明に於ける「略扇形状」とは、収納部２１に収納されたカードが、その先端部側程離間するような状態に収納されることをいう。
【０１４１】
さらに、本発明に係る遊技媒体貸出装置はＩＣカードだけではなく、磁気カードにも適用可能であることは言う迄もない。
【０１４２】
【発明の効果】
以上のように、請求項１に記載の遊技媒体貸出装置によると、貨幣が投入された場合は、前記搬送手段によって前記収納部に収納されている前記カード状記憶媒体が前記リードライタ部に搬送されて、貨幣投入額に応じた有価価値情報を前記カード状記憶媒体に書込まれ前記リードライタ部に保持されることになる。この場合において、前記収納部は、前記収納部に収納されているカード状記憶媒体は先端側だけを前記リードライタ部に臨出させて、前記リードライタ部に保持されている前記カード状記憶媒体の後端側と接触又は非接触状態で配されているので、前記リードライタ部と前記収納されているカード状記憶媒体とは一定距離を隔てており、前記リードライタ部と前記収納されているカード状記憶媒体とが誤通信することはなく、前記リードライタ部に保持されているカード状記憶媒体への読込書込作業に支障を与えることはなく、さらに、前記収納部に収納されているカード状記憶媒体は、その先端側を前記リードライタ部に臨出させているので、前記収納部から前記リードライタ部へ前記カード状記憶媒体を搬送する距離は、前記カード状記憶媒体１枚分よりも短い距離ですむため、搬送時間の短縮が図れるとともに、搬送による前記カード状記憶媒体の摩耗又は損傷が少なくなる。
【０１４３】
加えて、遊技者によって前記リードライタ部に前記カード状記憶媒体が挿入された場合は、前記収納部に収納されているカード状記憶媒体は先端側だけを前記リードライタ部に臨出させた状態で収納され、前記リードライタ部に保持されている前記カード状記憶媒体の後端側と接触又は非接触状態で配されており、前記リードライタ部と前記収納されているカード状記憶媒体とは一定距離を隔てているので、前記リードライタ部と前記収納されているカード状記憶媒体とが誤通信することはなく、さらに、遊技によって前記保持されたカード状記憶媒体の有価価値が無くなり、前記カード状記憶媒体は前記リードライタ部から前記収納部へと前記搬送手段により搬送されて前記収納部に収納されるときにおいては、前記リードライタ部から前記収納部へ前記カード状記憶媒体を搬送する距離が前記カード状記憶媒体１枚分よりも短い距離ですむため、搬送時間の短縮が図れるとともに、搬送による前記カード状記憶媒体の摩耗又は損傷が少なくなる。
【０１４４】
請求項２に記載の遊技媒体貸出装置によれば、前記リードライタ部の上下に前記収納部が配設されるスペースがない場合に好適となる。
【０１４５】
請求項３に記載の遊技媒体貸出装置によれば、前記収納部に複数枚のカード状記憶媒体を収納しているので、収納されているカード状記憶媒体を１枚外部に排出しても、カード状記憶媒体を補充することなく遊技が可能であり、また、カード状記憶媒体を起立状態に重ねて収納しているので、収納スペースが少なくてすむ。
【０１４６】
請求項４に記載の遊技媒体貸出装置によれば、前記収納部に複数枚のカード状記憶媒体を収納しているので、収納されているカード状記憶媒体を１枚外部に排出しても、カード状記憶媒体を補充することなく遊技が可能であり、また、カード状記憶媒体を略扇形状に収納しているので、収納スペースが少なくてすむ。
【０１４７】
請求項５に記載の遊技媒体貸出装置によれば、前記可動押圧体により、前記収納部に起立状に重ねて収納されたカード状記憶媒体を搬送手段に押圧するので、搬送時に搬送手段が空転することなく、カード状記憶媒体の搬送をスムーズに行うことができる。
【０１４８】
請求項６に記載の遊技媒体貸出装置によれば、前記リードライタ部から搬前記送手段により搬送された前記カード状記憶媒体の後部側が前記収納部の前記凹部に収納される場合であっって、前記凹部に既に収納されているときは、空いている他の凹部にカード状記憶媒体を収納すべく前記移動手段により前記収納部が移動して空いている前記凹部にカードが収納される。
【０１４９】
一方、貨幣の投入により前記収納部の前記凹部に収納されていた前記カード状記憶媒体が前記リードライタ部に搬送された場合は、他の凹部に収納されているカード状記憶媒体の先端側が前記リードライタ部に臨出する位置まで前記収納部が前記移動手段により移動して待機する。
【０１５０】
請求項７に記載の遊技媒体貸出装置によれば、前記回動手段により前記収納部を適宜回動せしめて、前記凹部へのカード状記憶媒体の収納及び前記凹部からの前記リードライタ部への前記カード状記憶媒体の搬送が行われる。
【０１５１】
請求項８に記載の遊技媒体貸出装置によれば、貨幣が投入された場合は、前記搬送手段によって前記滞留部に待機する前記カード状記憶媒体が前記リードライタ部に搬送されて、貨幣投入額に応じた有価価値情報を前記カード状記憶媒体に書込んで前記リードライタ部に保持されることになる。この場合において、前記滞留部に待機する前記カード状記憶媒体は先端側だけを前記リードライタ部に臨出させて、前記リードライタ部にある前記カード状記憶媒体後端側と接触又は非接触状態で配しているため、前記リードライタ部と前記待機している前記カード状記憶媒体とは一定距離を隔てており、前記リードライタ部と前記待機している前記カード状記憶媒体とが誤通信することはなく、前記リードライタ部に保持されているカード状記憶媒体への書込作業に支障を与えることはない。
【０１５２】
また、前記滞留部に待機している前記カード状記憶媒体は、その先端側を前記リードライタ部に臨出させているので、前記滞留部から前記リードライタ部へ前記カード状記憶媒体を搬送する距離は、前記カード状記憶媒体１枚分よりも短い距離ですむため、搬送時間の短縮が図れるとともに、搬送による前記カード状記憶媒体の摩耗又は損傷が少なくなる。
【０１５３】
更に、遊技者によって前記リードライタ部に前記カード状記憶媒体が挿入されると、その有価価値情報が前記リードライタ部で読込まれて前記有価価値情報に応じて遊技をすることが可能となる。この場合において、前記カード状記憶媒体の有価価値が無くなると、前記滞留部にある前記カード状記憶媒体が第２搬送手段により前記収納部に搬送されて収納されると共に、前記リードタイタ部の前記カード状記憶媒体は第１搬送手段により前記滞留部に搬送されて前記滞留部に待機し、前記カード状記憶媒体の発行要求に備える。また、有価価値を残して遊技者によるカード返却要求があった場合は、前記リードライタ部から機外に前記カード状記憶媒体は排出される。
【０１５４】
請求項９に記載の遊技媒体貸出装置によれば、前記収納部に複数枚のカード状記憶媒体を収納しているので、収納されているカード状記憶媒体を１枚外部に排出しても、カード状記憶媒体を補充することなく遊技が可能であり、また、カード状記憶媒体を起立状態に重ねて収納しているので、収納スペースが少なくてすむ。
【０１５５】
請求項１０に記載の遊技媒体貸出装置によれば、前記収納部に複数枚のカード状記憶媒体を収納しているので、収納されているカード状記憶媒体を１枚外部に排出しても、カード状記憶媒体を補充することなく遊技が可能であり、また、カード状記憶媒体を略扇形状に収納しているので、収納スペースが少なくてすむ。
【０１５６】
請求項１１に記載の遊技媒体貸出装置によれば、前記可動押圧体により、前記収納部に起立状に重ねて収納されたカード状記憶媒体を搬送手段に押圧するので、搬送時に搬送手段が空転することなく、カード状記憶媒体の搬送をスムーズに行うことができる。
【０１５７】
請求項１２に記載の遊技媒体貸出装置によれば、前記リードライタ部から搬前記送手段により搬送された前記カード状記憶媒体の後部側が前記収納部の前記凹部に収納される場合であっって、前記凹部に既に収納されているときは、空いている他の凹部にカード状記憶媒体を収納すべく前記移動手段により前記収納部が移動して空いている前記凹部にカードが収納される。
【０１５８】
一方、貨幣の投入により前記収納部の前記凹部に収納されていた前記カード状記憶媒体が前記リードライタ部に搬送された場合は、他の凹部に収納されているカード状記憶媒体の先端側が前記リードライタ部に臨出する位置まで前記収納部が前記移動手段により移動して待機する。
【０１５９】
請求項１３に記載の遊技媒体貸出装置によれば、前記回動手段により前記収納部を適宜回動せしめて、前記凹部へのカード状記憶媒体の収納及び前記凹部からの前記リードライタ部への前記カード状記憶媒体の搬送が行われる。
【０１６０】
請求項１４に記載の遊技媒体貸出装置によれば、初期状態及び待機中には、前記リードライタ部を空とし、前記滞留部に前記カード状記憶媒体を待機させているので、前記カード状記憶媒体が挿入されたときは、前記カード状記憶媒体は空の前記リードライタ部に受入れられて、その有価価値情報が前記リードライタ部により読込まれる。また、貨幣が貨幣投入口から投入されたときは、前記滞留部に待機している前記カード状記憶媒体が第１搬送手段により前記リードライタ部に搬送されて、遊技機による遊技が可能となり、一方、遊技終了時に前記カード状記憶媒体の有価価値が無くなったときは、前記カード状記憶媒体は第１搬送手段により前記リードライタ部から前記滞留部に搬送されて、前記カード状記憶媒体は待機状態となる。
【０１６１】
請求項１５に記載の遊技管理システムによれば、管理装置が複数の前記遊技媒体貸出装置から有価価値情報を集信し、その集信した有価価値情報を管理するので、複数の前記遊技媒体貸出装置にて消費された有価価値等を集中して管理することができる。また、前記遊技媒体貸出装置と前記管理装置との両装置で前記有価価値等を管理する場合にあっては、前記遊技媒体貸出装置のみで管理する場合よりも、改竄等の不正行為を容易に検出することが可能になる。
【０１６２】
請求項１６に記載の遊技媒体貸出装置によれば、前記収納部に収納されたカード状記憶媒体を回収する場合は、カード状記憶媒体回収指示を行うだけで、前記収容部に収容された前記カード状記憶媒体が前記カード挿入口まで順次搬送されるので、遊技場係員は、一旦カード状記憶媒体回収指示を行うと、前記カード挿入口に搬送されるカード状記憶媒体を抜き取るだけでカード回収を行うことができ、遊技場係員によるカード回収作業を容易におこなうことができる。
【０１６３】
請求項１７に記載の遊技媒体貸出装置によれば、前記収納部にカード状記憶媒体を補充する場合は、カード状記憶媒体補充指示を行うだけで、前記カード挿入口に挿入された前記カード状記憶媒体が前記収容部に順次搬送されるので、遊技場係員は、一旦カード状記憶媒体補充指示を行うと、前記カード挿入口にカード状記憶媒体を挿入するだけでカード補充を行うことができ、遊技場係員によるカード補充作業を容易におこなうことができる。
【０１６４】
請求項１８に記載の遊技媒体貸出装置によれば、前記滞留部及び／又は前記収納部に収納されたカード状記憶媒体を回収する場合は、カード状記憶媒体回収指示を行うだけで、前記滞留部及び／又は前記収容部に収容された前記カード状記憶媒体が前記カード挿入口まで順次搬送されるので、遊技場係員は、一旦カード状記憶媒体回収指示を行うと、前記カード挿入口に搬送されるカード状記憶媒体を抜き取るだけでカード回収を行うことができ、遊技場係員によるカード回収作業を容易におこなうことができる。
【０１６５】
請求項１９に記載の遊技媒体貸出装置によれば、前記滞留部及び／又は前記収納部にカード状記憶媒体を補充する場合は、カード状記憶媒体補充指示を行うだけで、前記カード挿入口に挿入された前記カード状記憶媒体が前記収容部に順次搬送されるので、遊技場係員は、一旦カード状記憶媒体補充指示を行うと、前記カード挿入口にカード状記憶媒体を挿入するだけで前記滞留部及び／又は前記収容部にカード補充を行うことができ、遊技場係員によるカード補充作業を容易におこなうことができる。
【０１６６】
請求項２０に記載の遊技媒体貸出装置によれば、請求項１６又は１８に記載の遊技媒体貸出装置では、前記カード状記憶媒体回収を遊技媒体貸出装置に設けられたカード状記憶媒体回収指示部によって行うことができ、遊技場係員によるカード回収作業を容易におこなうことができる。
【０１６７】
請求項２１に記載の遊技媒体貸出装置によると、請求項１６又は１８に記載の遊技媒体貸出装置では、前記カード状記憶媒体回収は、遊技媒体貸出装置とは別体の携帯端末装置に設けられたカード状記憶媒体回収指示部により行うことができき、遊技場係員によるカード回収作業を容易におこなうことができる。
【０１６８】
請求項２２に記載の遊技媒体貸出装置によると、請求項１７又は１９に記載の遊技媒体貸出装置では、前記カード状記憶媒体補充を遊技媒体貸出装置に設けられたカード状記憶媒体補充指示部によって行うことができき、遊技場係員によるカード補充作業を容易におこなうことができる。
【０１６９】
請求項２３に記載の遊技媒体貸出装置によると、請求項１７又は１９に記載の遊技媒体貸出装置では、前記カード状記憶媒体補充は、遊技媒体貸出装置とは別体の携帯端末装置に設けられたカード状記憶媒体補充指示部により行うことができ、遊技場係員によるカード補充作業を容易におこなうことができる。
【図面の簡単な説明】
【図１】本発明の遊技媒体貸出装置を備えた遊技管理システムの構成を示すブロック図である。
【図２】本発明にかかる遊技媒体貸出装置を示す斜視図である。
【図３】（Ａ）は本発明にかかる遊技媒体貸出装置のカード処理部を示す平面図であり、（Ｂ）はその側面図である。
【図４】図３に示すカード処理部の収納部の斜視図である。
【図５】本発明にかかる遊技媒体貸出装置の電気的構成を示すブロック図である。
【図６】本発明にかかる遊技媒体貸出装置の制御部の処理手順を示すフローチャートである。
【図７】本発明にかかる遊技媒体貸出装置の制御部の処理手順を示すフローチャートである。
【図８】本発明にかかる他の遊技媒体貸出装置を示す斜視図である。
【図９】本発明にかかる他の遊技媒体貸出装置の電気的構成を示すブロック図である。
【図１０】本発明にかかる他の遊技媒体貸出装置の制御部の処理手順を示すフローチャートである。
【図１１】本発明にかかる他の遊技媒体貸出装置及び携帯端末装置を示す斜視図である。
【図１２】図１１に示す携帯端末装置の電気的構成を示すブロック図である。
【図１３】図１１に示す遊技媒体貸出装置の電気的構成を示すブロック図である。
【図１４】（Ａ）は他のカード処理部の収納部を示す平面図であり、（Ｂ）はその側面図である。
【図１５】（Ａ）は他のカード処理部の収納部を示す側面図であり、（Ｂ）はその要部平面図である。。
【図１６】第２の実施の形態にかかる遊技媒体貸出装置のカード処理部を示す側面図である。
【図１７】図１０に示すカード処理部の要部平面図である。
【図１８】第２の実施の形態にかかる遊技媒体貸出装置の制御部の処理手順を示すフローチャートである
【図１９】第２の実施の形態にかかる遊技媒体貸出装置の制御部の処理手順を示すフローチャートである。
【図２０】他のカード処理部の要部を示す斜視図である。
【図２１】従来例のカード処理部の内部構造を示す上面図及び側面図である。
【図２２】従来例のカード処理部の内部構造を示す断面図である。
【符号の説明】
１      遊技媒体貸出装置
１７    リードライタ部
２１    収納部
２２    嵌合凹部
３１    搬送手段
２４    移動手段
６６    滞留部
Ｃ      カード
【図１】
2004275713.tif 000003
【図２】
2004275713.tif 000004
【図３】
2004275713.tif 000005
【図４】
2004275713.tif 000006
【図５】
2004275713.tif 000007
【図６】
2004275713.tif 000008
【図７】
2004275713.tif 000009
【図８】
2004275713.tif 000010
【図９】
2004275713.tif 000011
【図１０】
2004275713.tif 000012
【図１１】
2004275713.tif 000013
【図１２】
2004275713.tif 000014
【図１３】
2004275713.tif 000015
【図１４】
2004275713.tif 000016
【図１５】
2004275713.tif 000017
【図１６】
2004275713.tif 000018
【図１７】
2004275713.tif 000019
【図１８】
2004275713.tif 000020
【図１９】
2004275713.tif 000021
【図２０】
2004275713.tif 000022
【図２１】
2004275713.tif 000023
【図２２】
2004275713.tif 000024